(57)【特許請求の範囲】
【請求項１】
基地局装置と通信を行う端末装置であって、
前記基地局装置から通知される周期に基づいて周期的リソースを設定する上位層処理部と、
第１のフィードバックモードにおいて、１つのプレコーダ情報およびチャネル品質指標を、前記周期的リソースを用いて報告し、
第２のフィードバックモードにおいて、第１の部分プレコーダ情報と、第２の部分プレコーダ情報およびチャネル品質指標とを、前記周期的リソースを用いて、交互に報告する報告手段と、を備え、
前記第１の部分プレコーダ情報と前記第２の部分プレコーダ情報の組み合わせと、前記プレコーダ情報の各々は、１つのプレコーディング行列に対応する、端末装置。
【請求項２】
前記報告手段は、第２のフィードバックモードにおいて、第１の部分プレコーダ情報と、第２の部分プレコーダ情報およびチャネル品質指標との各々を、前記周期的リソースを用いて、前記周期の２倍の周期で、かつ交互に報告する、請求項１に記載の端末装置。
【請求項３】
端末装置と通信を行う基地局装置であって、
前記端末装置からなされる周期的報告の周期を通知する上位層処理手段と、
第１のフィードバックモードにおいて、端末装置から、１つのプレコーダ情報およびチャネル品質指標を前記周期で受信し、
第２のフィードバックモードにおいて、第１の部分プレコーダ情報と、第２の部分プレコーダ情報およびチャネル品質指標とを、前記周期で交互に受信する受信手段と、を備え、
前記第１の部分プレコーダ情報と前記第２の部分プレコーダ情報の組み合わせと、前記プレコーダ情報の各々は、１つのプレコーディング行列に対応する、基地局装置。
【請求項４】
前記受信手段は、第２のフィードバックモードにおいて、第１の部分プレコーダ情報と、第２の部分プレコーダ情報およびチャネル品質指標との各々を、前記周期の２倍の周期で受信する、請求項３に記載の基地局装置。
【請求項５】
基地局装置と通信を行う端末装置で用いられる通信方法であって、
前記基地局装置から上位層を介して通知される周期に基づいて周期的リソースを設定するステップと、
第１のフィードバックモードにおいて、１つのプレコーダ情報およびチャネル品質指標を、前記周期的リソースを用いて報告し、
第２のフィードバックモードにおいて、第１の部分プレコーダ情報と、第２の部分プレコーダ情報およびチャネル品質指標との各々を、前記周期的リソースを用いて、交互に報告するステップと、を備え
前記第１の部分プレコーダ情報と前記第２の部分プレコーダ情報の組み合わせと、前記プレコーダ情報の各々は、１つのプレコーディング行列に対応することを特徴とする、通信方法。
【請求項６】
端末装置と通信を行う基地局装置で用いられる通信方法であって、
前記端末装置からなされる周期的報告の周期を上位層を介して通知するステップと、
第１のフィードバックモードにおいて、端末装置から、１つのプレコーダ情報およびチャネル品質指標を前記周期で受信し、
第２のフィードバックモードにおいて、第１の部分プレコーダ情報と、第２の部分プレコーダ情報およびチャネル品質指標とを、前記周期で交互に受信するステップと、を備え、
前記第１の部分プレコーダ情報と前記第２の部分プレコーダ情報の組み合わせと、前記プレコーダ情報の各々は、１つのプレコーディング行列に対応することを特徴とする、通信方法。
【発明の詳細な説明】
【技術分野】
【０００１】
本発明は、端末装置、基地局装置、通信システムおよび通信方法に関する。
【背景技術】
【０００２】
３ＧＰＰ（Ｔｈｉｒｄ  Ｇｅｎｅｒａｔｉｏｎ  Ｐａｒｔｎｅｒｓｈｉｐ  Ｐｒｏｊｅ
ｃｔ）によるＷＣＤＭＡ（Ｗｉｄｅｂａｎｄ  Ｃｏｄｅ  Ｄｉｖｉｓｉｏｎ  Ｍｕｌｔｉ
ｐｌｅ  Ａｃｃｅｓｓ）、ＬＴＥ（Ｌｏｎｇ  Ｔｅｒｍ  Ｅｖｏｌｕｔｉｏｎ）、ＬＴＥ
−Ａ（ＬＴＥ−Ａｄｖａｎｃｅｄ）やＷｉＭＡＸ（Ｗｏｒｌｄｗｉｄｅ  Ｉｎｔｅｒｏｐ
ｅｒａｂｉｌｉｔｙ  ｆｏｒ  Ｍｉｃｒｏｗａｖｅ  Ａｃｃｅｓｓ）のような移動無線通
信システムでは、基地局装置（基地局、送信局、下りリンク送信装置、上りリンク受信装
置、ｅＮｏｄｅＢ）あるいは基地局に準じる送信局がカバーするエリアをセル（Ｃｅｌｌ
）状に複数配置するセルラー構成とすることにより、通信エリアを拡大することができる
。また、隣接するセル間またはセクタ間で異なる周波数を用いることでセル端（セルエッ
ジ）領域またはセクタ端領域にいる端末装置（移動局、受信局、上りリンク送信装置、下
りリンク受信装置、移動端末、ＵＥ；Ｕｓｅｒ  Ｅｑｕｉｐｍｅｎｔ）でも、複数の基地
局からの送信信号の干渉を受けることなく通信を行うことができるが、周波数利用効率が
低いという問題があった。一方、隣接するセルまたはセクタ間で同一周波数を利用するこ
とで、周波数利用効率を向上させることができるが、セル端領域にいる端末装置に対する
干渉の対策が必要となる。
【０００３】
また、基地局と端末装置との間の伝送路状況に応じて、変調方式および符号化率（ＭＣ
Ｓ；  Ｍｏｄｕｌａｔｉｏｎ  ａｎｄ  Ｃｏｄｉｎｇ  Ｓｃｈｅｍｅ）や空間多重数（レ
イヤー数、ランク）やプレコーダ（プリコーダ）などを適応的に制御することで、より効
率的なデータ伝送を実現することができる。非特許文献１ではこれらの制御を行う方法が
示されている。
【０００４】
図４３はＬＴＥにおいてプレコーダを適応的に制御する基地局４３０１と端末装置４３
０２を示す図である。ＬＴＥにおいて、送信される下りリンク送信下りリンク送信信号４
３０３に対してプレコーダを適応的に制御するに際し、端末装置４３０２は基地局４３０
１から送信される下りリンク送信下りリンク送信信号４３０３に含まれる下りリンク参照
信号（ＲＳ：Ｒｅｆｅｒｅｎｃｅ  Ｓｉｇｎａｌ）を参照して、好適なプレコーダを指定
するプレコーディング行列情報ＰＭＩ（Ｐｒｅｃｏｄｉｎｇ  Ｍａｔｒｉｘ  Ｉｎｄｉｃ
ａｔｏｒ）を計算し、上りリンクのチャネル４３０４を介して基地局４３０１に報告する
。非特許文献１では、プレコーダ情報を周期的に報告するフィードバックモードに関して
記載されている。プレコーダ情報を周期的に報告するフィードバックモードが設定された
端末装置は、所定の複数のプレコーディング行列のテーブルであるコードブックを用い、
コードブックの中の好適なプレコーディング行列に対応するインデクスであるＰＭＩを周
期的に計算して報告する。
【先行技術文献】
【非特許文献】
【０００５】
【非特許文献１】３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；Ｐｈｙｓｉｃａｌ  ｌａｙｅｒ  ｐｒｏｃｅｄｕｒｅｓ  （Ｒｅｌｅａｓｅ  ８）、２００８年１２月、３ＧＰＰ  ＴＳ  ３６．２１３  Ｖ８．８．０  （２００９−９）
【発明の概要】
【発明が解決しようとする課題】
【０００６】
しかしながら、従来の通信方式では、一つのコードブックに規定されたプレコーディン
グ行列を示す情報しか報告できず、適切なプレコーダの指定および適用が困難であり、伝
送効率の向上を妨げる要因となっていた。
【０００７】
本発明は、上記問題を鑑みてなされたものであり、その目的は、複数の部分プレコーダ
情報を用いた効率的なプレコーダ情報の指定および適用を行なうことができる端末装置、
基地局装置、通信システムおよび通信方法を提供することにある。
【課題を解決するための手段】
【０００８】
（１）この発明は上述した課題を解決するためになされたもので、本発明の一態様によ
る端末装置は、基地局装置と通信を行う端末装置であって、好適なプレコーダを指定する
１つのプレコーダ情報を周期的に前記基地局装置に報告する第１のフィードバックモード
と、前記好適なプレコーダを指定する複数の部分プレコーダ情報を周期的に前記基地局装
置に報告する第２のフィードバックモードとを切り替えることを特徴とする。
【０００９】
（２）また、本発明の一態様による端末装置は上記の端末装置であって、前記第１のフ
ィードバックモードにおいて、好適な空間多重数を指定するランク指標を周期的に前記基
地局装置に報告することを特徴とする。
【００１０】
（３）また、本発明の一態様による端末装置は上記の端末装置であって、前記第２のフ
ィードバックモードにおいて、前記第１のフィードバックモードにおいて前記ランク指標
を報告する際に使用するリソースを用いて前記部分プレコーダ情報を報告することを特徴
とする。
【００１１】
（４）また、本発明の一態様による端末装置は上記の端末装置であって、前記第１のフ
ィードバックモードにおいて、好適な伝送レートを指定する受信品質指標を周期的に前記
基地局装置に報告することを特徴とする。
【００１２】
（５）また、本発明の一態様による端末装置は上記の端末装置であって、前記第２のフ
ィードバックモードにおいて、前記第１のフィードバックモードにおいて前記受信品質指
標を報告する際に使用するリソースを用いて前記部分プレコーダ情報を報告することを特
徴とする。
【００１３】
（６）また、本発明の一態様による端末装置は上記の端末装置であって、前記第２のフ
ィードバックモードにおいて、好適な空間多重数を指定するランク指標を周期的に前記基
地局装置に報告することを特徴とする。
【００１４】
（７）また、本発明の一態様による端末装置は上記の端末装置であって、前記第２のフ
ィードバックモードにおいて、前記ランク指標と同じ周期で前記部分プレコーダ情報を報
告することを特徴とする。
【００１５】
（８）また、本発明の一態様による端末装置は上記の端末装置であって、前記第２のフ
ィードバックモードにおいて、前記ランク指標と異なるタイミングで前記部分プレコーダ
情報を報告することを特徴とする。
【００１６】
（９）また、本発明の一態様による端末装置は上記の端末装置であって、前記第２のフ
ィードバックモードにおいて、前記ランク指標と前記部分プレコーダ情報とを交互に報告
することを特徴とする。
【００１７】
（１０）また、本発明の一態様による端末装置は上記の端末装置であって、前記第２の
フィードバックモードにおいて、好適な伝送レートを指定する受信品質指標を周期的に前
記基地局装置に報告することを特徴とする。
【００１８】
（１１）また、本発明の一態様による端末装置は上記の端末装置であって、前記第２の
フィードバックモードにおいて、前記受信品質指標と同じ周期で前記部分プレコーダ情報
を報告することを特徴とする。
【００１９】
（１２）また、本発明の一態様による端末装置は上記の端末装置であって、前記第２の
フィードバックモードにおいて、前記受信品質指標と異なるタイミングで前記部分プレコ
ーダ情報を報告することを特徴とする。
【００２０】
（１３）また、本発明の一態様による端末装置は上記の端末装置であって、前記第２の
フィードバックモードにおいて、前記受信品質指標と前記部分プレコーダ情報とを交互に
報告することを特徴とする。
【００２１】
（１４）また、本発明の一態様による基地局装置は、端末装置と通信を行う基地局装置
であって、好適なプレコーダを指定する１つのプレコーダ情報を周期的に前記基地局装置
に報告する第１のフィードバックモードと、前記好適なプレコーダを指定する複数の部分
プレコーダ情報を周期的に前記基地局装置に報告する第２のフィードバックモードのいず
れであるかを示すパラメータを前記端末装置に設定することを特徴とする。
【００２２】
（１５）また、本発明の一態様による基地局装置は、端末装置と通信を行う基地局装置
であって、好適なプレコーダを指定する１つのプレコーダ情報を周期的に前記基地局装置
に報告する第１のフィードバックモードと、前記好適なプレコーダを指定する複数の部分
プレコーダ情報を周期的に前記基地局装置に報告する第２のフィードバックモードのいず
れかを前記端末装置に設定し、前記第１のフィードバックモードを設定する場合に、前記
プレコーダ情報を報告する周期を指定する第１のパラメータを前記端末装置に設定し、前
記第２のフィードバックモードを設定する場合に、前記第１のパラメータと、前記部分プ
レコーダ情報を報告するタイミングのオフセットを示す第２のパラメータを前記端末装置
に設定することを特徴とする。
【００２３】
（１６）また、本発明の一態様による通信システムは、基地局装置と端末装置との間で
通信を行う通信システムであって、前記基地局装置は、好適なプレコーダを指定する１つ
のプレコーダ情報を周期的に前記基地局装置に報告する第１のフィードバックモードと、
前記好適なプレコーダを指定する複数の部分プレコーダ情報を周期的に前記基地局装置に
報告する第２のフィードバックモードのいずれかを前記端末装置に設定し、前記端末装置
は、設定されたフィードバックモードに応じて、前記プレコーダ情報と前記部分プレコー
ダ情報のいずれかを前記基地局装置に報告することを特徴とする。
【００２４】
（１７）また、本発明の一態様による通信方法は、基地局装置と通信を行う端末装置に
おける通信方法であって、好適なプレコーダを指定する１つのプレコーダ情報を周期的に
前記基地局装置に報告する第１のフィードバックモードと、前記好適なプレコーダを指定
する複数の部分プレコーダ情報を周期的に前記基地局装置に報告する第２のフィードバッ
クモードとを切り替えるステップを有することを特徴とする。
【００２５】
（１８）また、本発明の一態様による通信方法は、端末装置と通信を行う基地局装置に
おける通信方法であって、好適なプレコーダを指定する１つのプレコーダ情報を周期的に
前記基地局装置に報告する第１のフィードバックモードと、前記好適なプレコーダを指定
する複数の部分プレコーダ情報を周期的に前記基地局装置に報告する第２のフィードバッ
クモードのいずれであるかを示すパラメータを前記端末装置に設定するステップを有する
ことを特徴とする。
【００２６】
（１９）また、本発明の一態様による通信方法は、端末装置と通信を行う基地局装置に
おける通信方法であって、好適なプレコーダを指定する１つのプレコーダ情報を周期的に
前記基地局装置に報告する第１のフィードバックモードと、前記好適なプレコーダを指定
する複数の部分プレコーダ情報を周期的に前記基地局装置に報告する第２のフィードバッ
クモードのいずれかを前記端末装置に設定する第１のステップと、前記第１のフィードバ
ックモードを設定する場合に、前記プレコーダ情報を報告する周期を指定する第１のパラ
メータを前記端末装置に設定する第２のステップと、前記第２のフィードバックモードを
設定する場合に、前記第１のパラメータと、前記部分プレコーダ情報を報告するタイミン
グのオフセットを示す第２のパラメータを前記端末装置に設定する第３のステップとを有
することを特徴とする。
【発明の効果】
【００２７】
この発明によれば、複数の部分プレコーダ情報を用いた効率的なプレコーダ情報の指定
および適用を行なうことができる。
【図面の簡単な説明】
【００２８】
【図１】本発明の第１の実施形態における通信システムの構成を示す概略構成図である。
【図２】同実施形態における下りリンクの無線フレーム構成の一例を示す図である。
【図３】同実施形態における上りリンクの無線フレーム構成の一例を示す図である。
【図４】同実施形態におけるフィードバックモードの一例を示す図である。
【図５】同実施形態における部分帯域幅構成の一例を示す図である。
【図６】同実施形態におけるフィードバックモードの一例を示す図である。
【図７】同実施形態におけるプロシージャの一例を示す概略図である。
【図８】同実施形態におけるパラメータテーブルの一例を示す図である。
【図９】同実施形態におけるパラメータテーブルの一例を示す図である。
【図１０】同実施形態におけるコードブックの一例を示す図である。
【図１１】同実施形態におけるコードブックの一例を示す図である。
【図１２】同実施形態における部分プレコーダの一例を示す概略図である。
【図１３】同実施形態における参照信号測定の一例を示す概略図である。
【図１４】同実施形態におけるプロシージャの一例を示す概略図である。
【図１５】同実施形態におけるフィードバックモードの一例を示す図である。
【図１６】同実施形態におけるフィードバックモードの一例を示す図である。
【図１７】同実施形態におけるフィードバックモードの一例を示す図である。
【図１８】同実施形態におけるフィードバックモードの一例を示す図である。
【図１９】同実施形態におけるフィードバックモードの一例を示す図である。
【図２０】同実施形態におけるフィードバックモードの一例を示す図である。
【図２１】同実施形態におけるフィードバックモードの一例を示す図である。
【図２２】同実施形態におけるフィードバックモードの一例を示す図である。
【図２３】同実施形態におけるフィードバックモードの一例を示す図である。
【図２４】同実施形態におけるフィードバックモードの一例を示す図である。
【図２５】同実施形態におけるフィードバックモードの一例を示す図である。
【図２６】本発明の第２の実施形態におけるフィードバックモードの一例を示す図である。
【図２７】同実施形態におけるパラメータテーブルの一例を示す図である。
【図２８】同実施形態におけるフィードバックモードの一例を示す図である。
【図２９】同実施形態におけるフィードバックモードの一例を示す図である。
【図３０】同実施形態におけるフィードバックモードの一例を示す図である。
【図３１】同実施形態におけるフィードバックモードの一例を示す図である。
【図３２】同実施形態におけるフィードバックモードの一例を示す図である。
【図３３】同実施形態におけるフィードバックモードの一例を示す図である。
【図３４】同実施形態におけるフィードバックモードの一例を示す図である。
【図３５】同実施形態におけるフィードバックモードの一例を示す図である。
【図３６】同実施形態におけるフィードバックモードの一例を示す図である。
【図３７】同実施形態におけるフィードバックモードの一例を示す図である。
【図３８】本発明の第３の実施形態におけるコンポーネントキャリア構成の一例を示す図である。
【図３９】同実施形態におけるプロシージャの一例を示す概略図である。
【図４０】本発明の第４の実施形態における送信点構成の一例を示す図である。
【図４１】本発明の第５の実施形態における基地局装置のブロック構成の一例を示す概略図である。
【図４２】同実施形態における端末装置のブロック構成の一例を示す概略図である。
【図４３】通信システムの構成を示す概略構成図である。
【発明を実施するための形態】
【００２９】
（第１の実施形態）
以下、図面を参照して、本発明の第１の実施形態について説明する。
【００３０】
図１は本発明の第１の実施形態における通信システムの構成を示す概略構成図である。
同図の通信システムはＬＴＥ−Ａシステムを想定しており、セルを構成する基地局装置（
基地局、送信局、下りリンク送信装置、上りリンク受信装置、ｅＮｏｄｅＢ）１０１と端
末装置（移動局、受信局、上りリンク送信装置、下りリンク受信装置、移動端末、ＵＥ；
Ｕｓｅｒ  Ｅｑｕｉｐｍｅｎｔ）１０２とを含んで構成される。送信される下りリンク送
信信号１０３に対してプレコーダを適応的に制御するに際し、端末装置１０２は基地局１
０１から送信される下りリンク送信信号１０３に含まれる下りリンク参照信号（ＲＳ：Ｒ
ｅｆｅｒｅｎｃｅ  Ｓｉｇｎａｌ）を参照して、好適なプレコーダ（Ｐｒｅｆｅｒｒｅｄ
Ｐｒｅｃｏｄｅｒ）を指定する複数の部分プレコーダ情報を計算し、上りリンクのチャ
ネル１０４を介して、それぞれ周期的に基地局１０１に報告する。ここでは、部分プレコ
ーダ情報ＰＩ（Ｐｒｅｃｏｄｅｒ  Ｉｎｆｏｒｍａｔｉｏｎ）として、部分プレコーダ情
報１（ＰＩ１）および部分プレコーダ情報２（ＰＩ２）を報告する場合について説明する
。好適なプレコーダとしては、例えば、下りリンクの伝搬路を考慮した上で、下りリンク
の受信信号電力が大きくなるようなプレコーダを算出するという方法などを用いることが
できる。
【００３１】
図２は、本実施形態に係る下りリンクの無線フレーム構成の一例を示している。下りリ
ンクはＯＦＤＭ（Ｏｒｔｈｏｇｏｎａｌ  Ｆｒｅｑｕｅｎｃｙ  Ｄｉｖｉｓｉｏｎ  Ｍｕ
ｌｔｉｐｌｅｘ）アクセス方式が用いられる。下りリンクでは、物理下りリンク制御チャ
ネル（ＰＤＣＣＨ；Ｐｈｙｓｉｃａｌ  Ｄｏｗｎｌｉｎｋ  Ｃｏｎｔｒｏｌ  Ｃｈａｎｎ
ｅｌ）、物理下りリンク共用チャネル（ＰＤＳＣＨ；Ｐｈｙｓｉｃａｌ  Ｄｏｗｎｌｉｎ
ｋ  Ｓｈａｒｅｄ  Ｃｈａｎｎｅｌ）などが割り当てられる。また、ＰＤＳＣＨの一部に
九台リンク参照信号（ＲＳ；Ｒｅｆｅｒｅｎｃｅ  Ｓｉｇｎａｌ）が多重される。下りリ
ンクの無線フレームは、下りリンクのリソースブロック（ＲＢ；Ｒｅｓｏｕｒｃｅ  Ｂｌ
ｏｃｋ）ペアから構成されている。この下りリンクのＲＢペアは、下りリンクの無線リソ
ースの割り当てなどの単位であり、予め決められた幅の周波数帯（ＲＢ帯域幅）及び時間
帯（２個のスロット＝１個のサブフレーム）からなる。１個の下りリンクのＲＢペアは、
時間領域で連続する２個の下りリンクのＲＢ（ＲＢ帯域幅×スロット）から構成される。
１個の下りリンクのＲＢは、周波数領域において１２個のサブキャリアから構成され、時
間領域において７個のＯＦＤＭシンボルから構成される。物理下りリンク制御チャネルは
、端末装置識別子、下りリンク共用チャネルのスケジューリング情報、上りリンク共用チ
ャネルのスケジューリング情報、変調方式、符号化率、再送パラメータなどの下りリンク
制御情報が送信される物理チャネルである。
【００３２】
図３は、本実施形態に係る上りリンクの無線フレーム構成の一例を示している。上りリ
ンクはＳＣ−ＦＤＭＡ（Ｓｉｎｇｌｅ  Ｃａｒｒｉｅｒ−Ｆｒｅｑｕｅｎｃｙ  Ｄｉｖｉ
ｓｉｏｎ  Ｍｕｌｔｉｐｌｅ  Ａｃｃｅｓｓ）方式が用いられる。上りリンクでは、物理
上りリンク共用チャネル（Ｐｈｙｓｉｃａｌ  Ｕｐｌｉｎｋ  Ｓｈａｒｅｄ  Ｃｈａｎｎ
ｅｌ；ＰＵＳＣＨ）、物理上りリンク制御チャネル（Ｐｈｙｓｉｃａｌ  Ｕｐｌｉｎｋ  
Ｃｏｎｔｒｏｌ  Ｃｈａｎｎｅｌ；ＰＵＣＣＨ）などが割り当てられる。また、ＰＵＳＣ
ＨやＰＵＣＣＨの一部に、上りリンク参照信号が割り当てられる。上りリンクの無線フレ
ームは、上りリンクのＲＢペアから構成されている。この上りリンクのＲＢペアは、上り
リンクの無線リソースの割り当てなどの単位であり、予め決められた幅の周波数帯（ＲＢ
帯域幅）及び時間帯（２個のスロット＝１個のサブフレーム）からなる。１個の上りリン
クのＲＢペアは、時間領域で連続する２個の上りリンクのＲＢ（ＲＢ帯域幅×スロット）
から構成される。１個の上りリンクのＲＢは、周波数領域において１２個のサブキャリア
から構成され、時間領域において７個のＳＣ−ＦＤＭＡシンボルから構成される。
【００３３】
図４は、本実施形態に係るフィードバックモードの一例を示している。なお、ここでい
うフィードバックモードは、端末装置から基地局装置にフィードバックする受信品質情報
のコンテンツの組み合わせ、それぞれのコンテンツの生成方法、およびそれぞれのコンテ
ンツのフィードバック方法などを含む。図４に示したフィードバックモード１は後方互換
フィードバックモード（第１のフィードバックモード）であり、下りリンク帯域幅（ある
いは下りリンクコンポーネントキャリア帯域幅）単位の報告を行うモードである。このフ
ィードバックモード１では、周期的にＲＩ（Ｒａｎｋ  Ｉｎｄｉｃａｔｏｒ）、ＰＭＩ（
Ｐｒｅｃｏｄｉｎｇ  Ｍａｔｒｉｘ  Ｉｎｄｉｃａｔｏｒ）、ＣＱＩ（Ｃｈａｎｎｅｌ  
Ｑｕａｌｉｔｙ  Ｉｎｄｉｃａｔｏｒ）の報告を行う。ここでＲＩは空間多重数を示す指
標（好適な空間多重数を指定するランク指標）であり、ＰＭＩは好適なプレコーディング
行列を示す指標（好適なプレコーダを指定するプレコーダ情報）であり、ＣＱＩは所定の
通信品質を保持するための伝送レートを示す指標（好適な伝送レートを指定する受信品質
指標）である。より具体的には、数式（１）を満たすサブフレームにおいて、下りリンク
帯域幅に対するＣＱＩであるＷ−ＣＱＩ（Ｗｉｄｅｂａｎｄ−ＣＱＩ）と下りリンク帯域
幅に対するＰＭＩであるＷ−ＰＭＩ（Ｗｉｄｅｂａｎｄ−ＰＭＩ）をフィードバックし、
数式（２）を満たすサブフレームにおいてＲＩをフィードバックする。
【００３４】
【数１】
0005566367.tif 000002
【数２】
0005566367.tif 000003
ここで、ｎｆは各無線フレームに振られたシステムフレーム番号、ｎｓは無線フレーム内
の各スロットに降られたスロット番号であり、ＮＰ、ＭＲＩ、ＮＯＦＦＳＥＴ、ＣＱＩ、
ＮＯＦＦＳＥＴ、RIは所定の値である。また、ｎｓ／２に付加されている括弧は床関数で
あり、ｍｏｄは剰余関数である。
【００３５】
図４に示したフィードバックモード１では、Ｗ−ＣＱＩおよびＷ−ＰＭＩは、ＮＰサブ
フレームの周期で、基準となるサブフレームからＮＯＦＦＳＥＴ、ＣＱＩだけシフトした
（オフセットされた）サブフレームで報告される。また、ＲＩは、Ｗ−ＣＱＩおよびＷ−
ＰＭＩの周期のＭＲＩ倍であるＮＰ・ＭＲＩの周期で、基準となるサブフレームからＮＯ
ＦＦＳＥＴ、ＣＱＩ＋ＮＯＦＦＳＥＴ、ＲＩだけシフトしたサブフレーム、すなわちＷ−
ＣＱＩおよびＷ−ＰＭＩからさらにＮＯＦＦＳＥＴ、ＲＩだけシフトしたサブフレームで
報告される。
【００３６】
図５は、本実施形態に係るサブバンド構成の一例を示している。複数の隣接するＲＢの
帯域幅をまとめてサブバンドを構成し、複数のサブバンドをまとめてＢＰ（Ｂａｎｄｗｉ
ｄｔｈ  Ｐａｒｔ）を構成する。図５に示した構成図では、下りリンク帯域幅にＳ個のサ
ブバンドおよびＪ個のＢＰが配置される。
【００３７】
図６は、本実施形態に係るフィードバックモードの一例を示している。図６に示したフ
ィードバックモード２は後方互換フィードバックモードであり、下りリンク帯域幅（ある
いは下りリンクコンポーネントキャリア帯域幅）単位およびＢＰ単位の報告を行うモード
である。このフィードバックモード２では、周期的にＲＩ、ＰＭＩ、ＣＱＩの報告を行う
。より具体的には、数式（３）を満たすサブフレームにおいて、下りリンク帯域幅に対す
るＣＱＩであるＷ−ＣＱＩと下りリンク帯域幅に対するＰＭＩであるＷ−ＰＭＩをフィー
ドバックし、数式（４）を満たすサブフレームにおいてＲＩをフィードバックする。また
、Ｗ−ＣＱＩを報告する合間に、部分帯域幅に対するＣＱＩであるＳ−ＣＱＩ（Ｓｕｂｂ
ａｎｄ−ＣＱＩ）を報告する。
【００３８】
【数３】
0005566367.tif 000004
【数４】
0005566367.tif 000005
ここで、ｎｆは各無線フレームに振られたシステムフレーム番号、ｎｓは無線フレーム内
の各スロットに降られたスロット番号であり、ＮＰ、ＭＲＩ、ＮＯＦＦＳＥＴ、ＣＱＩ、
ＮＯＦＦＳＥＴ、ＲＩ、Ｈは所定の値である。
【００３９】
図６に示したフィードバックモード２では、Ｗ−ＣＱＩおよびＷ−ＰＭＩは、Ｈ・ＮＰ
サブフレームの周期で、基準となるサブフレームからＮＯＦＦＳＥＴ、ＣＱＩだけシフト
したサブフレームで報告される。また、ＲＩは、Ｗ−ＣＱＩおよびＷ−ＰＭＩの周期のＭ
ＲＩ倍であるＨ・ＮＰ・ＭＲＩの周期で、基準となるサブフレームからＮＯＦＦＳＥＴ、
ＣＱＩ＋ＮＯＦＦＳＥＴ、ＲＩだけシフトしたサブフレーム、すなわちＷ−ＣＱＩおよび
Ｗ−ＰＭＩからさらにＮＯＦＦＳＥＴ、ＲＩだけシフトしたサブフレームで報告される。
Ｓ−ＣＱＩは、Ｗ−ＣＱＩの報告周期であるＨ・ＮＰサブフレームの期間に、ＮＰの周期
でＪ・Ｋ回報告される。ここで、Ｈ＝Ｊ・Ｋ＋１であり、ＪはＢＰ数、Ｋは所定の値であ
る。Ｊ・Ｋ回報告されるＳ−ＣＱＩのそれぞれは、ＢＰを代表するＣＱＩである。Ｊ個の
ＢＰにおけるＣＱＩを、周波数の低いＢＰにおけるＣＱＩから順次報告し、下りリンク帯
域幅を網羅するようにＪ回の報告が行われる。さらに、Ｊ回の報告をＫサイクル繰り返す
ことにより、Ｈ・ＮＰサブフレームの期間にＪ・Ｋ回の報告が行われる。
【００４０】
図７は、本実施形態に係るプロシージャの一例を示している。図７に示したプロシージ
ャは、フィードバックモード１あるいはフィードバックモード２におけるプロシージャの
一例である。まず、基地局はＲＲＣ（Ｒａｄｉｏ  Ｒｅｓｏｕｒｃｅ  Ｃｏｎｔｒｏｌ）
シグナリングを介して、端末装置におけるフィードバックのパラメータを設定し、周期的
なフィードバックを指示する（ステップＳ７０１）。周期的なフィードバックを指示され
た端末装置は、設定されたフィードバックのパラメータに従いＲＩ（ステップＳ７０２）
、Ｗ−ＰＭＩ（ステップＳ７０３）、Ｗ−ＣＱＩ（ステップＳ７０４）をそれぞれ周期的
に基地局装置に報告する。フィードバックモード２の場合は、されにＳ−ＣＱＩを周期的
に報告する（ステップＳ７０５）。ここで、Ｗ−ＣＱＩあるいはＳ−ＣＱＩを報告するサ
ブフレームとＲＩを報告するサブフレームとが同じサブフレームになる場合が生じる。こ
の場合、Ｗ−ＣＱＩあるいはＳ−ＣＱＩを報告せずにＲＩを報告する。また、ステップ７
０１におけるＲＲＣシグナリングで、ＲＩあるいはＷ−ＰＭＩをフィードバックしないよ
うに設定することも可能である。その場合は、端末装置はＣＱＩのみを報告する。
【００４１】
図８は、ＣＱＩの報告に関するパラメータテーブルの一例を示している。図８に示した
パラメータテーブルは、Ｗ−ＣＱＩの報告に関するパラメータテーブルである。基地局装
置と端末装置は、予めパラメータテーブルを共有しておく。基地局装置は、複数の端末装
置間でのフィードバックリソースのスケジューリングあるいは端末装置毎の受信電力値の
推移などに基づいて、任意の端末装置に適したＷ−ＣＱＩあるいはＷ−ＰＭＩの周期およ
びオフセット値からＮＰおよびＮＯＦＦＳＥＴ、ＣＱＩを算出し、パラメータテーブルを
用いて、算出したＮＰおよびＮＯＦＦＳＥＴ、ＣＱＩに対応するＩＣＱＩ（プレコーダ情
報を報告する周期を指定する第１のパラメータ）を選択して端末装置に設定する。なお、
ここではＩＣＱＩは１０ビット（１０２４種類）の指標として説明する。ＩＣＱＩを設定
された端末装置は、設定されたＩＣＱＩとパラメータテーブルとを用いて、ＮＰおよびＮ
ＯＦＦＳＥＴ、ＣＱＩを取得し、取得したＮＰおよびＮＯＦＦＳＥＴ、ＣＱＩを用いてＷ
−ＣＱＩおよびＷ−ＰＭＩを報告するサブフレームを決定し、Ｗ−ＣＱＩおよびＷ−ＰＭ
Ｉを報告する。
【００４２】
図９は、ＲＩの報告に関するパラメータテーブルの一例を示している。ＣＱＩの報告に
関するパラメータテーブルと同様、基地局装置と端末装置は、予めパラメータテーブルを
共有しておく。基地局装置は、複数の端末装置間でのフィードバックリソースのスケジュ
ーリングあるいは端末装置毎の受信電力値の推移などに基づいて、任意の端末装置に適し
たＲＩの周期およびオフセット値からＭＲＩおよびＮＯＦＦＳＥＴ、ＲＩを算出し、パラ
メータテーブルを用いて、算出したＭＲＩおよびＮＯＦＦＳＥＴ、ＲＩに対応するＩＲＩ
を選択して端末装置に設定する。なお、ここではＩＲＩは１０ビット（１０２４種類）の
指標として説明する。ＩＲＩを設定された端末装置は、設定されたＩＲＩとパラメータテ
ーブルとを用いて、ＭＲＩおよびＮＯＦＦＳＥＴ、ＲＩを取得し、取得したＭＲＩおよび
ＮＯＦＦＳＥＴ、ＲＩとＩＣＱＩから得られたＮＰおよびＮＯＦＦＳＥＴ、ＣＱＩとを用
いてＲＩを報告するサブフレームを決定し、ＲＩを報告する。
【００４３】
次に、複数の部分プレコーダ情報ＰＩを報告する拡張フィードバックモード（第２のフ
ィードバックモード）について説明する。ここでは、部分プレコーダ情報ＰＩとして、部
分プレコーダ情報１（ＰＩ１）および部分プレコーダ情報２（ＰＩ２）を報告する場合に
ついて説明する。また、拡張フィードバックモードでは、後方互換フィードバックモード
におけるＰＭＩはフィードバックしなくてもよいため、以下ではＰＭＩをフィードバック
しない場合について説明する。なお、拡張フィードバックモードにおいてもＰＭＩをフィ
ードバックするようにしてもよい。
【００４４】
図１０は、本実施形態に係る部分プレコーダ情報のコードブックの一例である。このコ
ードブックのサイズは１６であり、ＰＩ１として４ビットで表すことができるインデクス
ｉを指定することにより、ｉに対応するＷ１ｉが一意に決定する。
【００４５】
図１１は、本実施形態に係るコードブックの一例である。このコードブックのサイズは
４であり、ＰＩ２として２ビットで表すことができるインデクスｊを指定することにより
、ｊに対応するＷ２ｊが一意に決定する。
【００４６】
なお、図１０および図１１に示したコードブックは一例であり、この他のコードブック
を用いることもできる。例えば、図１０および図１１に示したコードブックのコードブッ
クサイズとは異なるコードブックサイズのコードブックを用いるもできる。
【００４７】
拡張フィードバックモードでは、好適なプレコーダをＰＩ１が示すＷ１ｉとＰＩ２が示
すＷ２ｊとを用いて指定することができる。ここで、好適なプレコーダとしては、例えば
、下りリンクの伝搬路を考慮した上で、下りリンクの受信信号電力、下りリンクの受信品
質、下りリンクの伝送レートが大きくなるようなプレコーダを採用することができる。
【００４８】
より具体的には、好適なプレコーダＦをＦ＝Ａ（ｉ）Ｂ（ｊ）と表現するようにシステ
ムで取り決めておき、ＰＩ１としてｉを、ＰＩ２としてｊを報告する。ここで、Ｆはレイ
ヤ数×アンテナポート数のサイズの行列であり、ＡおよびＢは所定のサイズの行列である
。ただし、ここでいう行列とは、ベクトルあるいはスカラーを含む概念である。Ａおよび
Ｂとしては、例えば以下のようなにｉ、ｊを指定することにより一意に決まる任意の行列
を用いることができる。
（１）Ａ（ｉ）＝Ｗ１ｉ、Ｂ（ｊ）＝Ｖ１＋Ｖ２Ｗ２ｊとする。ここで、Ｖ１とＶ２
は０と１の要素からなる所定の行列、Ｗｉは所定のコードブックで指定される行列、φｊ
は所定のコードブックで指定されるスカラーである。
（２）Ａ（ｉ）＝Ｗ１ｉ、Ｂ（ｊ）＝Ｗ２ｊとする。ここで、ＷｉおよびΦｊは所定
のコードブックで指定される行列である。
（３）Ａ（ｉ）＝［Ｗ１ｉ  Ｗ１ｉ］、Ｂ（ｊ）＝  Ｗ２ｊとする。ここで、Ｗｉお
よびΦｊは所定のコードブックで指定される行列である。
（４）Ａ（ｉ）＝Ｋ（Ｕ、Ｗ１ｉ）、Ｂ（ｊ）＝［Ｉ  Ｗ２ｊＴ］Ｔとする。ここで
、Ｕは所定の行列、Ｉは単位行列、Ｗ１ｉおよびＷ２ｊは所定のコードブックで指定され
る行列である。また、Ｋ（Ｘ、Ｙ）は行列Ｘと行列Ｙとのクロネッカー積、ＸＴは行列Ｘ
の転置行列を表す演算子である。
【００４９】
このように、ＰＩ１とＰＩ２とを用いて表現する好適なプレコーダとは、ＰＩ１が表現
するプレコーダとＰＩ２が表現するプレコーダとを結合したプレコーダとしても表現する
ことができる。なお、ここではプレコーダの結合として、Ｆ＝Ａ（ｉ）Ｂ（ｊ）と表現す
るようにシステムで取り決めておく場合について説明するが、Ｆ＝Ｂ（ｉ）Ａ（ｊ）やＦ
＝Ｋ（Ａ（ｉ）、Ｂ（ｊ））と表現するような場合など、その他のプレコーダの結合方法
をシステムで取り決めておいても同様の効果を得ることができる。
【００５０】
図１２は、本実施形態に係るプレコーディング処理の概念図である。ここでは、アンテ
ナポート数が４、レイヤ数が２であり、Ｆ＝Ｗ１ｉＷ２ｊの場合について説明する。ＰＩ
１が表すプレコーダであるＷ１ｉにより各レイヤの各アンテナポートにおける信号点は変
位（ここでは０から２πの範囲で位相が回転）し、さらにＰＩ２が表すプレコーダである
Ｗ２ｊにより各レイヤの各アンテナポートにおける信号点は変位（ここでは０から２πの
範囲で位相が回転）する。なお、図１２に示した信号点の変位は一例であって、これに限
るものではない。
【００５１】
端末装置は、まずＰＩ１を報告するに際し、各レイヤの各アンテナポートにおける信号
点に対して固有の変位を与えるプレコーダ群からなるコードブックから、好適なプレコー
ダ（プレコーダをかけた後の信号点が好適であるプレコーダ）を決定する。ここで、ＰＩ
１を決定に用いるコードブックは図１０に示すようなコードブックを用いる。端末装置は
、次にＰＩ２を報告するに際し、報告したＰＩ１が表すプレコーダをかけた後の信号点に
対して、さらにプレコーダをかけた後の信号点が好適であるプレコーダをコードブックか
ら決定し、そのインデクスをＰＩ２として報告する。ここで、ＰＩ２を決定に用いるコー
ドブックは図１１に示すようなコードブックを用いる。あるいは、ＰＩ２を決定してから
、ＰＩ１を決定するようにしてもよい。
【００５２】
あるいは、端末装置は、ＰＩ１とＰＩ２とを同時に決定することもできる。ＰＩ１とＰ
Ｉ２の様々な組み合わせにおいて、Ｗ１ｉとＷ２ｊとを結合させたプレコーダを調査し、
その中から好適なプレコーダを表現するＰＩ１とＰＩ２の様々な組み合わせを決定すれば
よい。
【００５３】
拡張フィードバックモードでは、下りリンク帯域幅（あるいは下りリンクコンポーネン
トキャリア帯域幅）単位のＰＩ１とＰＩ２とを報告することもできるし、部分帯域幅単位
の報告を行うこともできる。あるいは、下りリンク帯域幅単位のＰＩ１と、部分帯域幅単
位のＰＩ２とを報告することもできる。図１３はＰＩを測定するためのＲＳの一例を示し
ている。広帯域に渡って配置されたＲＳの測定結果を用いて下りリンク帯域幅単位のＰＩ
１を決定し、決定したＰＩ１と部分帯域幅内のＲＳの測定結果とを用いて、部分帯域幅単
位のＰＩ２を決定する。
【００５４】
図１４は、本実施形態に係るプロシージャの一例を示している。図１４に示したプロシ
ージャは、拡張フィードバックモードにおけるプロシージャの一例である。まず、基地局
はＲＲＣシグナリングを介して、端末装置におけるフィードバックのパラメータを設定し
、周期的なフィードバックを指示する（ステップＳ１４０１）。周期的なフィードバック
を指示された端末装置は、設定されたフィードバックのパラメータに従いＲＩ（ステップ
Ｓ１４０２）、ＰＩ１（ステップＳ１４０３）、ＰＩ２（ステップＳ１４０４）、Ｗ−Ｃ
ＱＩ（ステップＳ１４０５）をそれぞれ周期的に基地局装置に報告する。Ｓ−ＣＱＩをフ
ィードバックする拡張フィードバックモードの場合は、さらにＳ−ＣＱＩを周期的に報告
する（ステップＳ１４０６）。なお、ここではステップＳ１４０１における端末装置にお
けるフィードバックのパラメータを設定、および周期的なフィードバックの指示をＲＲＣ
シグナリングで行う例について説明するが、これに限るものではない。例えば、下りリン
ク物理制御チャネルを介した動的なシグナリングなどで、パラメータを設定あるいは周期
的なフィードバックの指示を行うようにしても同様の効果を得ることができる。
【００５５】
ここで、Ｗ−ＣＱＩあるいはＳ−ＣＱＩを報告するサブフレームとＰＩ１やＰＩ２を報
告するサブフレーム、あるいはＲＩを報告するサブフレームとが同じサブフレームになる
場合が生じる。この場合、ＲＩ＞ＰＩ１＞ＰＩ２＞Ｗ−ＣＱＩ＞Ｓ−ＣＱＩの順、ＲＩ＞
Ｗ−ＣＱＩ＞ＰＩ１＞ＰＩ２＞Ｓ−ＣＱＩの順、あるいはＲＩ＞ＰＩ１＞Ｗ−ＣＱＩ＞Ｐ
Ｉ２＞Ｓ−ＣＱＩの順など、フィードバックするコンテンツに対して優先度をつけておき
、優先度の高いコンテンツを報告する。これにより、報告するサブフレームが重なった場
合でも、いずれのコンテンツを報告するかを一意に決めることができる。また、コンテン
ツの重要度に応じて優先度をつけることができるため、重要度の高いコンテンツを優先し
て報告することができる。また、ステップ１４０１におけるＲＲＣシグナリングで、ＲＩ
、ＰＩ１あるいはＰＩ２をフィードバックしないように設定することも可能である。これ
らの設定は、ＲＩとＰＩ１とＰＩ２とで個別に設定されてもよいし、一つの指標でまとめ
て設定されても良い。
【００５６】
図１５は、本実施形態に係るフィードバックモードの一例を示している。図１５に示し
たフィードバックモード１Ａは拡張フィードバックモードである。このフィードバックモ
ード１Ａでは、周期的にＲＩ、ＰＩ１、ＰＩ２、Ｗ−ＣＱＩの報告を行う。より具体的に
は、数式（１）を満たすサブフレームにおいて、Ｗ−ＣＱＩとＰＩ２をフィードバックし
、数式（５）を満たすサブフレームにおいてＲＩをフィードバックし、数式（６）を満た
すサブフレームにおいてＰＩ１をフィードバックする。
【００５７】
【数５】
0005566367.tif 000006
【数６】
0005566367.tif 000007
ここで、ｎｆは各無線フレームに振られたシステムフレーム番号、ｎｓは無線フレーム内
の各スロットに降られたスロット番号である。また、ＮＰ、ＭＲＩ、ＮＯＦＦＳＥＴ、Ｃ
ＱＩ、ＮＯＦＦＳＥＴ、ＲＩは、上述のように、基地局装置により端末装置において設定
される値である。Ｘは、拡張フィードバックモードであるか後方互換フィードバックモー
ドであるかに対応する値（拡張フィードバックモードと後方五感フィードバックモードの
いずれであるかを示すパラメータ）であり、２または１の値に設定される。
【００５８】
Ｘが１に設定された場合、数式（５）と数式（６）はともに数式（２）と等価となり、
フィードバックモード１におけるＲＩ・Ｗ−ＣＱＩ（Ｗ−ＰＭＩ）のパラメータ設定と、
フィードバックモード１ＡにおけるＲＩ（ＰＩ１）・Ｗ−ＣＱＩ（ＰＩ２）のパラメータ
設定とが一致する。このとき、ＲＩを送信するサブフレームでＰＩ１を同時に送信しても
よいし、送信しなくてもよい。Ｘが２に設定された場合、フィードバックモード１におけ
るＲＩの送信間隔が２倍になり、空いたサブフレームでＰＩ１を送信するという拡張とな
る。このように、後方互換フィードバックモードであるフィードバックモード１における
Ｗ−ＰＭＩに代えてＰＩ２を報告し、フィードバックモード１におけるＲＩ報告のリソー
スを用いてＲＩとＰＩ１とを報告する。これにより、報告に要する上りリンクのオーバヘ
ッドを軽減することができる。また、異なる端末装置の報告の衝突を軽減することができ
る。さらに、ＰＩ１とＰＩ２の報告周期を異なって設定することができるため、それぞれ
の部分プレコーダ情報の役割に沿った効率的な部分プレコーダ情報のフィードバックが可
能となる。
【００５９】
なお、Ｘは図１４におけるステップ１４０１において端末装置に設定することができる
。あるいは、送信モードなど、他のパラメータに関連付けて設定することもできる。例え
ば、基地局装置が端末装置に拡張送信モードを設定した場合は、端末装置はＸの値を２と
し、後方互換送信モードを設定した場合は、端末装置はＸの値を１とするなどの処理を行
えばよい。これにより、Ｘを個別に指定する必要がなくなる。
【００６０】
図１６は、本実施形態に係るフィードバックモードの一例を示している。図１６に示し
たフィードバックモード１Ｂは拡張フィードバックモードである。このフィードバックモ
ード１Ｂでは、周期的にＲＩ、ＰＩ１、ＰＩ２、Ｗ−ＣＱＩの報告を行う。より具体的に
は、数式（１）を満たすサブフレームにおいて、Ｗ−ＣＱＩをフィードバックし、数式（
５）を満たすサブフレームにおいてＲＩとＰＩ１をフィードバックし、数式（６）を満た
すサブフレームにおいてＰＩ２をフィードバックする。
【００６１】
Ｘが１に設定された場合、数式（５）と数式（６）はともに数式（２）と等価となり、
フィードバックモード１におけるＲＩ・Ｗ−ＣＱＩ（Ｗ−ＰＭＩ）のパラメータ設定と、
フィードバックモード１ＢにおけるＲＩ（ＰＩ１、ＰＩ２）・Ｗ−ＣＱＩのパラメータ設
定とが一致する。このとき、ＲＩを送信するサブフレームでＰＩ１あるいはＰＩ２を同時
に送信してもよいし、送信しなくてもよい。Ｘが２に設定された場合、フィードバックモ
ード１におけるＲＩの報告間隔が２倍になり、空いたサブフレームでＰＩ２を報告し、Ｐ
Ｉ１はＲＩと同じサブフレームで報告するという拡張となる。このように、後方互換フィ
ードバックモードであるフィードバックモード１におけるＲＩ報告のリソースを用いてＲ
ＩとＰＩ１とＰＩ２とを報告する。これにより、報告に要する上りリンクのオーバヘッド
を軽減することができる。また、異なる端末装置の報告の衝突を軽減することができる。
さらに、ＲＩと同時に報告するＰＩ１よりもＰＩ２の情報量を大きくすることができるた
め、それぞれの部分プレコーダ情報の役割に沿った効率的な部分プレコーダ情報のフィー
ドバックが可能となる。
【００６２】
図１７は、本実施形態に係るフィードバックモードの一例を示している。図１７に示し
たフィードバックモード１Ｃは拡張フィードバックモードである。このフィードバックモ
ード１Ｃでは、周期的にＲＩ、ＰＩ１、ＰＩ２、Ｗ−ＣＱＩの報告を行う。より具体的に
は、数式（７）を満たすサブフレームにおいて、Ｗ−ＣＱＩとＰＩ２をフィードバックし
、数式（５）を満たすサブフレームにおいてＲＩをフィードバックし、数式（８）を満た
すサブフレームにおいてＰＩ１をフィードバックする。
【００６３】
【数７】
0005566367.tif 000008
【数８】
0005566367.tif 000009
【００６４】
Ｘが１に設定された場合、数式（７）と数式（８）はともに数式（２）と等価となり、
フィードバックモード１におけるＲＩ・Ｗ−ＣＱＩ（Ｗ−ＰＭＩ）のパラメータ設定と、
フィードバックモード１ＣにおけるＲＩ・Ｗ−ＣＱＩ（ＰＩ１、ＰＩ２）のパラメータ設
定とが一致する。このとき、Ｗ−ＣＱＩを送信するサブフレームでＰＩ１を同時に送信し
てもよいし、送信しなくてもよい。Ｘが２に設定された場合、フィードバックモード１に
おけるＷ−ＣＱＩの送信間隔が２倍になり、空いたサブフレームでＰＩ１を送信するとい
う拡張となる。このように、後方互換フィードバックモードであるフィードバックモード
１におけるＷ−ＣＱＩあるいはＷ−ＰＭＩ報告のリソースを用いてＷ−ＣＱＩとＰＩ１と
ＰＩ２とを報告する。これにより、報告に要する上りリンクのオーバヘッドを軽減するこ
とができる。また、異なる端末装置の報告の衝突を軽減することができる。さらに、ＲＩ
に比べてＰＩ１やＰＩ２の報告頻度を高くすることができるため、チャネル変動に沿った
プレコーディング処理が可能となる。
【００６５】
図１８は、本実施形態に係るフィードバックモードの一例を示している。図１８に示し
たフィードバックモード１Ｄは拡張フィードバックモードである。このフィードバックモ
ード１Ｄでは、周期的にＲＩ、ＰＩ１、ＰＩ２、Ｗ−ＣＱＩの報告を行う。より具体的に
は、数式（７）を満たすサブフレームにおいて、Ｗ−ＣＱＩをフィードバックし、数式（
５）を満たすサブフレームにおいてＲＩとＰＩ１をフィードバックし、数式（８）を満た
すサブフレームにおいてＰＩ２をフィードバックする。
【００６６】
Ｘが１に設定された場合、数式（７）と数式（８）はともに数式（２）と等価となり、
フィードバックモード１におけるＲＩ・Ｗ−ＣＱＩ（Ｗ−ＰＭＩ）のパラメータ設定と、
フィードバックモード１ＤにおけるＲＩ（ＰＩ１）・Ｗ−ＣＱＩ（ＰＩ２）のパラメータ
設定とが一致する。このとき、Ｗ−ＣＱＩを送信するサブフレームでＰＩ１を同時に送信
してもよいし、送信しなくてもよい。Ｘが２に設定された場合、フィードバックモード１
におけるＷ−ＣＱＩの送信間隔が２倍になり、空いたサブフレームでＰＩ２を送信すると
いう拡張となる。このように、後方互換フィードバックモードであるフィードバックモー
ド１におけるＲＩ報告のリソースを用いてＲＩとＰＩ１とを報告し、フィードバックモー
ド１におけるＷ−ＣＱＩおよびＷ−ＰＭＩ報告のリソースを用いてＷ−ＣＱＩとＰＩ２と
を報告する。これにより、報告に要する上りリンクのオーバヘッドを軽減することができ
る。また、異なる端末装置の報告の衝突を軽減することができる。さらに、１つのサブフ
レームで報告するＰＩ２の情報量を大きくすることができるため、詳細な部分プレコーダ
情報の報告が可能となる。
【００６７】
図１９は、本実施形態に係るフィードバックモードの一例を示している。図１９に示し
たフィードバックモード２Ａは拡張フィードバックモードである。このフィードバックモ
ード２Ａでは、周期的にＲＩ、ＰＩ１、ＰＩ２、Ｗ−ＣＱＩ、Ｓ−ＣＱＩの報告を行う。
より具体的には、数式（３）を満たすサブフレームにおいて、Ｗ−ＣＱＩとＰＩ２をフィ
ードバックし、数式（９）を満たすサブフレームにおいてＲＩをフィードバックし、数式
（１０）を満たすサブフレームにおいてＰＩ１をフィードバックする。
【００６８】
【数９】
0005566367.tif 000010
【数１０】
0005566367.tif 000011
【００６９】
Ｘが１に設定された場合、数式（９）と数式（１０）はともに数式（４）と等価となり
、フィードバックモード２におけるＲＩ・Ｗ−ＣＱＩ（Ｗ−ＰＭＩ）・Ｓ−ＣＱＩのパラ
メータ設定と、フィードバックモード２ＡにおけるＲＩ（ＰＩ１）・Ｗ−ＣＱＩ（ＰＩ２
）・Ｓ−ＣＱＩのパラメータ設定とが一致する。このとき、ＲＩを送信するサブフレーム
でＰＩ１を同時に送信してもよいし、送信しなくてもよい。Ｘが２に設定された場合、フ
ィードバックモード２におけるＲＩの送信間隔が２倍になり、空いたサブフレームでＰＩ
１を送信するという拡張となる。また、Ｈ＝Ｊ・Ｋ＋１であり、フィードバックモード２
と同様に、フィードバックモード２ＡにおいてもＪ個のＢＰにおけるＣＱＩ（Ｓ−ＣＱＩ
）の報告をＫサイクル繰り返す。このように、後方互換フィードバックモードであるフィ
ードバックモード２におけるＷ−ＰＭＩに代えてＰＩ２を報告し、フィードバックモード
２におけるＲＩ報告のリソースを用いてＲＩとＰＩ１とを報告する。これにより、報告に
要する上りリンクのオーバヘッドを軽減することができる。また、異なる端末装置の報告
の衝突を軽減することができる。さらに、ＰＩ１とＰＩ２の報告周期を異なって設定する
ことができるため、それぞれの部分プレコーダ情報の役割に沿った効率的な部分プレコー
ダ情報のフィードバックが可能となる。
【００７０】
図２０は、本実施形態に係るフィードバックモードの一例を示している。図２０に示し
たフィードバックモード２Ｂは拡張フィードバックモードである。このフィードバックモ
ード２Ｂでは、周期的にＲＩ、ＰＩ１、ＰＩ２、Ｗ−ＣＱＩ、Ｓ−ＣＱＩの報告を行う。
より具体的には、数式（３）を満たすサブフレームにおいて、Ｗ−ＣＱＩをフィードバッ
クし、数式（９）を満たすサブフレームにおいてＲＩとＰＩ１をフィードバックし、数式
（１０）を満たすサブフレームにおいてＰＩ２をフィードバックする。
【００７１】
Ｘが１に設定された場合、数式（９）と数式（１０）はともに数式（４）と等価となり
、フィードバックモード２におけるＲＩ・Ｗ−ＣＱＩ（Ｗ−ＰＭＩ）・Ｓ−ＣＱＩのパラ
メータ設定と、フィードバックモード２ＢにおけるＲＩ（ＰＩ１、ＰＩ２）・Ｗ−ＣＱＩ
・Ｓ−ＣＱＩのパラメータ設定とが一致する。このとき、ＲＩを送信するサブフレームで
ＰＩ１あるいはＰＩ２を同時に送信してもよいし、送信しなくてもよい。Ｘが２に設定さ
れた場合、フィードバックモード２におけるＲＩの送信間隔が２倍になり、空いたサブフ
レームでＰＩ２を送信するという拡張となる。また、Ｈ＝Ｊ・Ｋ＋１であり、フィードバ
ックモード２と同様に、フィードバックモード２ＢにおいてもＪ個のＢＰにおけるＣＱＩ
（Ｓ−ＣＱＩ）の報告をＫサイクル繰り返す。このように、後方互換フィードバックモー
ドであるフィードバックモード２におけるＲＩ報告のリソースを用いてＲＩとＰＩ１とＰ
Ｉ２とを報告する。これにより、報告に要する上りリンクのオーバヘッドを軽減すること
ができる。また、異なる端末装置の報告の衝突を軽減することができる。さらに、ＲＩと
同時に報告するＰＩ１よりもＰＩ２の情報量を大きくすることができるため、それぞれの
部分プレコーダ情報の役割に沿った効率的な部分プレコーダ情報のフィードバックが可能
となる。
【００７２】
図２１は、本実施形態に係るフィードバックモードの一例を示している。図２１に示し
たフィードバックモード２Ｃは拡張フィードバックモードである。このフィードバックモ
ード２Ｃでは、周期的にＲＩ、ＰＩ１、ＰＩ２、Ｗ−ＣＱＩ、Ｓ−ＣＱＩの報告を行う。
より具体的には、数式（１１）を満たすサブフレームにおいて、Ｗ−ＣＱＩとＰＩ２をフ
ィードバックし、数式（９）を満たすサブフレームにおいてＲＩをフィードバックし、数
式（１２）を満たすサブフレームにおいてＰＩ１をフィードバックする。
【００７３】
【数１１】
0005566367.tif 000012
【数１２】
0005566367.tif 000013
【００７４】
Ｘが１に設定された場合、数式（１１）と数式（１２）はともに数式（３）と等価とな
り、フィードバックモード２におけるＲＩ・Ｗ−ＣＱＩ（Ｗ−ＰＭＩ）・Ｓ−ＣＱＩのパ
ラメータ設定と、フィードバックモード２ＣにおけるＲＩ・Ｗ−ＣＱＩ（ＰＩ１、ＰＩ２
）・Ｓ−ＣＱＩのパラメータ設定とが一致する。このとき、Ｗ−ＣＱＩを送信するサブフ
レームでＰＩ１を同時に送信してもよいし、送信しなくてもよい。Ｘが２に設定された場
合、フィードバックモード２におけるＷ−ＣＱＩの送信間隔が２倍になり、空いたサブフ
レームでＰＩ１を送信するという拡張となる。また、Ｈ＝Ｊ・Ｋ＋１であり、フィードバ
ックモード２と同様に、フィードバックモード２ＣにおいてもＪ個のＢＰにおけるＣＱＩ
（Ｓ−ＣＱＩ）の報告をＫサイクル繰り返す。ただし、フィードバックモード２Ｃでは、
ＰＩ１の報告とＷ−ＣＱＩ（ＰＩ２）の報告の合間にＫサイクル繰り返すことになる。異
なる観点から言えば、Ｗ−ＣＱＩ（ＰＩ２）の報告の合間に、Ｘ・Ｋサイクル繰り返すこ
とになる。このように、後方互換フィードバックモードであるフィードバックモード２に
おけるＷ−ＣＱＩあるいはＷ−ＰＭＩ報告のリソースを用いてＷ−ＣＱＩとＰＩ１とＰＩ
２とを報告する。これにより、報告に要する上りリンクのオーバヘッドを軽減することが
できる。また、異なる端末装置の報告の衝突を軽減することができる。さらに、ＲＩに比
べてＰＩ１やＰＩ２の報告頻度を高くすることができるため、チャネル変動に沿ったプレ
コーディング処理が可能となる。
【００７５】
図２２は、本実施形態に係るフィードバックモードの一例を示している。図２２に示し
たフィードバックモード２Ｄは拡張フィードバックモードである。このフィードバックモ
ード２Ｄでは、周期的にＲＩ、ＰＩ１、ＰＩ２、Ｗ−ＣＱＩ、Ｓ−ＣＱＩの報告を行う。
より具体的には、数式（１１）を満たすサブフレームにおいて、Ｗ−ＣＱＩをフィードバ
ックし、数式（９）を満たすサブフレームにおいてＲＩとＰＩ１をフィードバックし、数
式（１２）を満たすサブフレームにおいてＰＩ２をフィードバックする。
【００７６】
Ｘが１に設定された場合、数式（１１）と数式（１２）はともに数式（３）と等価とな
り、フィードバックモード２におけるＲＩ・Ｗ−ＣＱＩ（Ｗ−ＰＭＩ）・Ｓ−ＣＱＩのパ
ラメータ設定と、フィードバックモード２ＣにおけるＲＩ（ＰＩ１）・Ｗ−ＣＱＩ（ＰＩ
２）・Ｓ−ＣＱＩのパラメータ設定とが一致する。このとき、Ｗ−ＣＱＩを送信するサブ
フレームでＰＩ２を同時に送信してもよいし、送信しなくてもよい。Ｘが２に設定された
場合、フィードバックモード２におけるＷ−ＣＱＩの送信間隔が２倍になり、空いたサブ
フレームでＰＩ２を送信するという拡張となる。また、Ｈ＝Ｊ・Ｋ＋１であり、フィード
バックモード２と同様に、フィードバックモード２ＤにおいてもＪ個のＢＰにおけるＣＱ
Ｉ（Ｓ−ＣＱＩ）の報告をＫサイクル繰り返す。ただし、フィードバックモード２Ｄでは
、ＰＩ２の報告とＷ−ＣＱＩの報告の合間にＫサイクル繰り返すことになる。異なる観点
から言えば、Ｗ−ＣＱＩの報告の合間に、Ｘ・Ｋサイクル繰り返すことになる。このよう
に、後方互換フィードバックモードであるフィードバックモード２におけるＲＩ報告のリ
ソースを用いてＲＩとＰＩ１とを報告し、フィードバックモード２におけるＷ−ＣＱＩお
よびＷ−ＰＭＩ報告のリソースを用いてＷ−ＣＱＩとＰＩ２とを報告する。これにより、
報告に要する上りリンクのオーバヘッドを軽減することができる。また、異なる端末装置
の報告の衝突を軽減することができる。さらに、１つのサブフレームで報告するＰＩ２の
情報量を大きくすることができるため、詳細な部分プレコーダ情報の報告が可能となる。
【００７７】
図２３は、本実施形態に係るフィードバックモードの一例を示している。図２３に示し
たフィードバックモード１Ｅは拡張フィードバックモードである。このフィードバックモ
ード１Ｅでは、周期的にＲＩ、ＰＩ１、ＰＩ２、Ｗ−ＣＱＩの報告を行う。より具体的に
は、数式（１３）を満たすサブフレームにおいて、Ｗ−ＣＱＩをフィードバックし、数式
（１４）を満たすサブフレームにおいてＲＩをフィードバックし、数式（１５）を満たす
サブフレームにおいてＰＩ１をフィードバックし、数式（１６）を満たすサブフレームに
おいてＰＩ２をフィードバックする。
【００７８】
【数１３】
0005566367.tif 000014
【数１４】
0005566367.tif 000015
【数１５】
0005566367.tif 000016
【数１６】
0005566367.tif 000017
ここで、Ｘ１およびＸ２は、拡張フィードバックモードであるか後方互換フィードバック
モードであるかに対応する値であり、２または１の値に設定される。
【００７９】
Ｘ１およびＸ２がともに１に設定された場合、数式（１３）と数式（１６）はともに数
式（１）と等価となり、数式（１４）と数式（１５）はともに数式（２）と等価となり、
フィードバックモード１におけるＲＩ・Ｗ−ＣＱＩ（Ｗ−ＰＭＩ）のパラメータ設定と、
フィードバックモード１ＥにおけるＲＩ（ＰＩ１）・Ｗ−ＣＱＩ（ＰＩ２）のパラメータ
設定とが一致する。このとき、ＲＩを送信するサブフレームでＰＩ１を同時に送信しても
よいし、送信しなくてもよい。また、Ｗ−ＣＱＩを送信するサブフレームでＰＩ２を同時
に送信してもよいし、送信しなくてもよい。Ｘ２が２に設定された場合、フィードバック
モード１におけるＷ−ＣＱＩの送信間隔が２倍になり、空いたサブフレームでＰＩ２を送
信するという拡張となる。また、Ｘ１が２、Ｘ２が１に設定された場合、フィードバック
モード１におけるＲＩの送信間隔が２倍になり、空いたサブフレームでＰＩ１を送信する
という拡張となる。さらに、Ｘ１およびＸ２がともに２に設定された場合、フィードバッ
クモード１におけるＷ−ＣＱＩの送信間隔が２倍、ＲＩの送信間隔が４倍になり、空いた
サブフレームでＰＩ１およびＰＩ２を送信するという拡張となる。このように、後方互換
フィードバックモードであるフィードバックモード１におけるＷ−ＰＭＩに代えてＰＩ２
を報告し、フィードバックモード１におけるＲＩ報告のリソースを用いてＲＩとＰＩ１と
を報告する。これにより、報告に要する上りリンクのオーバヘッドを軽減することができ
る。また、異なる端末装置の報告の衝突を軽減することができる。さらに、ＰＩ１とＰＩ
２の報告周期を異なって設定することができるため、それぞれの部分プレコーダ情報の役
割に沿った効率的な部分プレコーダ情報のフィードバックが可能となる。
【００８０】
なお、Ｘ１またはＸ２は図１４におけるステップ１４０１において端末装置に設定する
ことができる。Ｘ１およびＸ２を個別に設定してもよいし、Ｘ１とＸ２を常に同じ値とな
るように設定してもよい。あるいは、送信モードなど、他のパラメータに関連付けて設定
することもできる。例えば、基地局装置が端末装置に拡張送信モードを設定した場合は、
端末装置はＸ１およびＸ２の値を２とし、後方互換送信モードを設定した場合は、端末装
置はＸ１およびＸ２の値を１とするなどの処理を行えばよい。これにより、Ｘ１またはＸ
２を個別に指定する必要がなくなる。
【００８１】
図２４は、本実施形態に係るフィードバックモードの一例を示している。図２４に示し
たフィードバックモード２Ｅは拡張フィードバックモードである。このフィードバックモ
ード２Ｅでは、周期的にＲＩ、ＰＩ１、ＰＩ２、Ｗ−ＣＱＩ、Ｓ−ＣＱＩの報告を行う。
より具体的には、数式（３）を満たすサブフレームにおいて、Ｗ−ＣＱＩおよびＰＩ１を
フィードバックし、数式（４）を満たすサブフレームにおいてＲＩをフィードバックする
。Ｓ−ＣＱＩおよびＰＩ２は、Ｗ−ＣＱＩの報告周期であるＨ・ＮＰサブフレームの期間
に交互に報告される。Ｓ−ＣＱＩおよびＰＩ２は、それぞれＸ・ＮＰの周期でＪ・Ｋ回ず
つ報告される。ここで、Ｈ＝Ｘ・Ｊ・Ｋ＋１である。Ｊ・Ｋ回報告されるＳ−ＣＱＩある
いはＰＩ２のそれぞれは、ＢＰを代表するＣＱＩあるいはＰＩである。Ｊ個のＢＰにおけ
るＣＱＩあるいはＰＩを、周波数の低いＢＰにおけるＣＱＩあるいはＰＩから交互に順次
報告し、下りリンク帯域幅を網羅するようにそれぞれＪ回の報告が行われる。さらに、Ｊ
回の報告をＫサイクル繰り返すことにより、Ｈ・ＮＰサブフレームの期間にＪ・Ｋ回ずつ
の報告が行われる。
【００８２】
Ｘが１に設定された場合、フィードバックモード２におけるＲＩ・Ｗ−ＣＱＩ（Ｗ−Ｐ
ＭＩ）・Ｓ−ＣＱＩのパラメータ設定と、フィードバックモード２ＥにおけるＲＩ・Ｗ−
ＣＱＩ（ＰＩ１）・Ｓ−ＣＱＩ（ＰＩ２）のパラメータ設定とが一致する。このとき、Ｗ
−ＣＱＩを送信するサブフレームでＰＩ１を同時に送信してもよいし、送信しなくてもよ
い。また、Ｓ−ＣＱＩを送信するサブフレームでＰＩ２を同時に送信してもよいし、送信
しなくてもよい。Ｘが２に設定された場合、フィードバックモード２におけるＷ−ＣＱＩ
の送信間隔が（Ｊ・Ｋ＋１）ＮＰから（２・Ｊ・Ｋ＋１）ＮＰになり、空いたサブフレー
ムでＰＩ２を送信するという拡張となる。このように、後方互換フィードバックモードで
あるフィードバックモード２におけるＷ−ＰＭＩに代えてＰＩ１を報告し、フィードバッ
クモード２におけるＳ−ＣＱＩ報告のリソースを用いてＳ−ＣＱＩとＰＩ２とを報告する
。これにより、報告に要する上りリンクのオーバヘッドを軽減することができる。また、
異なる端末装置の報告の衝突を軽減することができる。さらに、ＰＩ１とＰＩ２の報告周
期を異なって設定することができるため、それぞれの部分プレコーダ情報の役割に沿った
効率的な部分プレコーダ情報のフィードバックが可能となる。また、ＰＩ２に対して多く
の報告機会をスケジューリングすることができるため、ＢＰ単位のＰＩ２を報告するのに
適している。
【００８３】
図２５は、本実施形態に係るフィードバックモードの一例を示している。図２５に示し
たフィードバックモード２Ｆは拡張フィードバックモードである。このフィードバックモ
ード２Ｆでは、周期的にＲＩ、ＰＩ１、ＰＩ２、Ｗ−ＣＱＩ、Ｓ−ＣＱＩの報告を行う。
より具体的には、数式（３）を満たすサブフレームにおいて、Ｗ−ＣＱＩをフィードバッ
クし、数式（１７）を満たすサブフレームにおいてＲＩをフィードバックし、数式（１８
）を満たすサブフレームにおいてＰＩ１をフィードバックする。Ｓ−ＣＱＩおよびＰＩ２
は、Ｗ−ＣＱＩの報告周期であるＨ・ＮＰサブフレームの期間に交互に報告される。Ｓ−
ＣＱＩおよびＰＩ２は、それぞれＸ２・ＮＰの周期でＪ・Ｋ回ずつ報告される。ここで、
Ｈ＝Ｘ２・Ｊ・Ｋ＋１である。Ｊ・Ｋ回報告されるＳ−ＣＱＩあるいはＰＩ２のそれぞれ
は、ＢＰを代表するＣＱＩあるいはＰＩである。Ｊ個のＢＰにおけるＣＱＩあるいはＰＩ
を、周波数の低いＢＰにおけるＣＱＩあるいはＰＩから交互に順次報告し、下りリンク帯
域幅を網羅するようにそれぞれＪ回の報告が行われる。さらに、Ｊ回の報告をＫサイクル
繰り返すことにより、Ｈ・ＮＰサブフレームの期間にＪ・Ｋ回ずつの報告が行われる。
【００８４】
【数１７】
0005566367.tif 000018
【数１８】
0005566367.tif 000019
【００８５】
Ｘ１およびＸ２がともに１に設定された場合、数式（１７）と数式（１８）はともに数
式（４）と等価となり、フィードバックモード１におけるＲＩ・Ｗ−ＣＱＩ（Ｗ−ＰＭＩ
）・Ｓ−ＣＱＩのパラメータ設定と、フィードバックモード２ＥにおけるＲＩ（ＰＩ１）
・Ｗ−ＣＱＩ・Ｓ−ＣＱＩ（ＰＩ２）のパラメータ設定とが一致する。このとき、ＲＩを
送信するサブフレームでＰＩ１を同時に送信してもよいし、送信しなくてもよい。また、
Ｓ−ＣＱＩを送信するサブフレームでＰＩ２を同時に送信してもよいし、送信しなくても
よい。Ｘ２が２に設定された場合、フィードバックモード２におけるＷ−ＣＱＩの送信間
隔が（Ｊ・Ｋ＋１）ＮＰから（２・Ｊ・Ｋ＋１）ＮＰになり、空いたサブフレームでＰＩ
２を送信するという拡張となる。また、Ｘ１が２、Ｘ２が１に設定された場合、フィード
バックモード２におけるＲＩの送信間隔が２倍になり、空いたサブフレームでＰＩ１を送
信するという拡張となる。さらに、Ｘ１およびＸ２がともに２に設定された場合、フィー
ドバックモード２におけるＷ−ＣＱＩの送信間隔が（Ｊ・Ｋ＋１）ＮＰから（２・Ｊ・Ｋ
＋１）ＮＰになり、ＲＩの送信間隔が（Ｊ・Ｋ＋１）ＮＰ・ＭＲＩから２・（２・Ｊ・Ｋ
＋１）ＮＰ・ＭＲＩになり、空いたサブフレームでＰＩ１およびＰＩ２を送信するという
拡張となる。このように、後方互換フィードバックモードであるフィードバックモード２
におけるＲＩを報告するリソースを用いてＲＩとＰＩ１とを報告し、フィードバックモー
ド２におけるＳ−ＣＱＩ報告のリソースを用いてＳ−ＣＱＩとＰＩ２とを報告する。これ
により、報告に要する上りリンクのオーバヘッドを軽減することができる。また、異なる
端末装置の報告の衝突を軽減することができる。さらに、ＰＩ１とＰＩ２の報告周期を異
なって設定することができるため、それぞれの部分プレコーダ情報の役割に沿った効率的
な部分プレコーダ情報のフィードバックが可能となる。また、ＰＩ２に対して多くの報告
機会をスケジューリングすることができるため、ＢＰ単位のＰＩ２を報告するのに適して
いる。
【００８６】
なお、Ｘ１またはＸ２は図１４におけるステップ１４０１において端末装置に設定する
ことができる。Ｘ１およびＸ２を個別に設定してもよいし、Ｘ１とＸ２を常に同じ値とな
るように設定してもよい。あるいは、送信モードなど、他のパラメータに関連付けて設定
することもできる。例えば、基地局装置が端末装置に拡張送信モードを設定した場合は、
端末装置はＸ１およびＸ２の値を２とし、後方互換送信モードを設定した場合は、端末装
置はＸ１およびＸ２の値を１とするなどの処理を行えばよい。これにより、Ｘ１またはＸ
２を個別に指定する必要がなくなる。
【００８７】
このように、基地局装置は端末装置に対して、プレコーディング行列をフィードバック
する後方互換フィードバックモードまたは複数の部分プレコーダ情報をフィードバックす
る拡張フィードバックモードを設定する。このとき、拡張フィードバックモードにおける
周期およびオフセット値に係るパラメータを後方互換フィードバックモードと同じにする
。また、拡張フィードバックモードであるか後方互換フィードバックモードであるかに対
応するパラメータを導入した数式により、フィードバックされるコンテンツ（ＲＩ、ＰＩ
１、ＰＩ２、Ｗ−ＣＱＩなど）それぞれに対して、報告を行うサブフレームを決定する。
また、部分プレコーダ情報を報告するに際し、後方互換フィードバックモードにおけるＲ
ＩあるいはＣＱＩを報告するリソースの一部でＰＩを報告する。さらに、ＲＩあるいはＣ
ＱＩとＰＩとを交互に報告する。これにより、拡張フィードバックモードと後方互換フィ
ードバックモードを容易に切り替えることができる。また、基地局装置から端末装置への
シグナリングのオーバヘッドを低減することができる。さらに、いずれのコンテンツも適
切な周期で報告することが可能となる。
【００８８】
（第２の実施形態）
上記第１の実施形態では、拡張フィードバックモードにおける周期およびオフセット値
に係るパラメータを後方互換フィードバックモードと同じにする場合について説明した。
本発明の第２の実施形態では、拡張フィードバックモードにおけるオフセット値に係るパ
ラメータが後方互換フィードバックモードとは異なる場合について説明する。以下、図面
を参照して、本発明の第２の実施形態について説明する。なお、本実施形態に係る基地局
装置と端末装置との間のプロシージャは、図１４に示したプロシージャと同様のプロシー
ジャで実現することができる。
【００８９】
図２６は、本実施形態に係るフィードバックモードの一例を示している。図２６に示し
たフィードバックモード１Ｆは拡張フィードバックモードである。このフィードバックモ
ード１Ｆでは、周期的にＲＩ、ＰＩ１、ＰＩ２、Ｗ−ＣＱＩの報告を行う。より具体的に
は、数式（１）を満たすサブフレームにおいて、Ｗ−ＣＱＩとＰＩ２をフィードバックし
、数式（２）を満たすサブフレームにおいてＲＩをフィードバックし、数式（１９）を満
たすサブフレームにおいてＰＩ１をフィードバックする。
【００９０】
【数１９】
0005566367.tif 000020
ここで、ＮＯＦＦＳＥＴ、ＰＩは所定の値である。
【００９１】
図２６に示したフィードバックモード１Ｆでは、Ｗ−ＣＱＩおよびＰＩ２は、ＮＰサブ
フレームの周期で、基準となるサブフレームからＮＯＦＦＳＥＴ、ＣＱＩだけシフトした
（オフセットされた）サブフレームで報告される。また、ＲＩは、Ｗ−ＣＱＩの周期のＭ
ＲＩ倍であるＮＰ・ＭＲＩの周期で、基準となるサブフレームからＮＯＦＦＳＥＴ、ＣＱ
Ｉ＋ＮＯＦＦＳＥＴ、ＲＩだけシフトしたサブフレーム、すなわちＷ−ＣＱＩからさらに
ＮＯＦＦＳＥＴ、ＲＩだけシフトしたサブフレームで報告される。さらに、ＰＩ１は、Ｐ
Ｉと同じく、ＲＩと同じ周期であるＮＰ・ＭＲＩの周期で、基準となるサブフレームから
ＮＯＦＦＳＥＴ、ＣＱＩ＋ＮＯＦＦＳＥＴ、ＲＩ＋ＮＯＦＦＳＥＴ、ＰＩだけシフトした
サブフレーム、すなわちＲＩからさらにＮＯＦＦＳＥＴ、ＰＩだけシフトしたサブフレー
ムで報告される。
【００９２】
図２７は、ＰＩの報告に関するパラメータテーブルの一例を示している。なお、ＣＱＩ
あるいはＲＩのパラメータテーブルは、図８あるいは図９に示したパラメータテーブルを
用いる。基地局装置と端末装置は、予めパラメータテーブルを共有しておく。基地局装置
は、複数の端末装置間でのフィードバックリソースのスケジューリングあるいは端末装置
毎の受信電力値の推移などに基づいて、任意の端末装置に適したＷ−ＣＱＩ、ＰＩ、ＲＩ
の周期およびオフセット値からＮＰおよびＮＯＦＦＳＥＴ、ＣＱＩ、ＮＯＦＦＳＥＴ、Ｒ
Ｉ、ＮＯＦＦＳＥＴ、ＰＩを算出し、パラメータテーブルを用いて、算出したＮＰおよび
ＮＯＦＦＳＥＴ、ＣＱＩ、ＮＯＦＦＳＥＴ、ＲＩ、ＮＯＦＦＳＥＴ、ＰＩに対応するＩＣ
ＱＩ、ＩＲＩ、ＩＰＩ（部分プレコーダ情報を報告するタイミングのオフセットを示す第
２のパラメータ）を選択して端末装置に設定する。ＩＣＱＩ、ＩＲＩ、ＩＰＩを設定され
た端末装置は、設定されたＩＣＱＩ、ＩＲＩ、ＩＰＩとパラメータテーブルとを用いて、
ＮＰおよびＮＯＦＦＳＥＴ、ＣＱＩ、ＮＯＦＦＳＥＴ、ＲＩ、ＮＯＦＦＳＥＴ、ＰＩを取
得し、取得したＮＰおよびＮＯＦＦＳＥＴ、ＣＱＩ、ＮＯＦＦＳＥＴ、ＲＩ、ＮＯＦＦＳ
ＥＴ、ＰＩを用いてＷ−ＣＱＩ、ＰＩ、ＲＩを報告するサブフレームを決定する。
【００９３】
なお、ＮＯＦＦＳＥＴ、ＰＩは図１４におけるステップ１４０１において端末装置に設
定することができる。あるいは、送信モードなど、他のパラメータに関連付けて設定する
ようにしたり、固定にしたりすることもできる。
【００９４】
このように、後方互換フィードバックモードであるフィードバックモード１のＷ−ＰＭ
Ｉに代えてＰＩ２を報告するとともに、ＰＩ１のオフセット値に係るパラメータを、フィ
ードバックモード１におけるパラメータとは別に設定する。これにより、フィードバック
モード１においてフィードバックされるコンテンツは、拡張フィードバックモードにおい
ても同じ周期あるいはオフセット値でフィードバックすることができる。また、ＰＩ１の
周期をＲＩと同じにすることで、異なるコンテンツの報告の衝突を低減することができる
。
【００９５】
図２８は、本実施形態に係るフィードバックモードの一例を示している。図２８に示し
たフィードバックモード１Ｇは拡張フィードバックモードである。このフィードバックモ
ード１Ｇでは、周期的にＲＩ、ＰＩ１、ＰＩ２、Ｗ−ＣＱＩの報告を行う。より具体的に
は、数式（１）を満たすサブフレームにおいて、Ｗ−ＣＱＩをフィードバックし、数式（
２）を満たすサブフレームにおいてＲＩとＰＩ１をフィードバックし、数式（１９）を満
たすサブフレームにおいてＰＩ２をフィードバックする。
【００９６】
図２８に示したフィードバックモード１Ｇでは、Ｗ−ＣＱＩは、ＮＰサブフレームの周
期で、基準となるサブフレームからＮＯＦＦＳＥＴ、ＣＱＩだけシフトしたサブフレーム
で報告される。また、ＲＩおよびＰＩ１は、Ｗ−ＣＱＩの周期のＭＲＩ倍であるＮＰ・Ｍ
ＲＩの周期で、基準となるサブフレームからＮＯＦＦＳＥＴ、ＣＱＩ＋ＮＯＦＦＳＥＴ、
ＲＩだけシフトしたサブフレーム、すなわちＷ−ＣＱＩからさらにＮＯＦＦＳＥＴ、ＲＩ
だけシフトしたサブフレームで報告される。さらに、ＰＩ２は、ＲＩと同じ周期であるＮ
Ｐ・ＭＲＩの周期で、基準となるサブフレームからＮＯＦＦＳＥＴ、ＣＱＩ＋ＮＯＦＦＳ
ＥＴ、ＰＩだけシフトしたサブフレーム、すなわちＷ−ＣＱＩからさらにＮＯＦＦＳＥＴ
、ＰＩだけシフトしたサブフレームで報告される。
【００９７】
このように、後方互換フィードバックモードであるフィードバックモード１のＲＩを報
告するリソースを用いてＲＩとＰＩ１とを報告するとともに、ＰＩ２のオフセット値に係
るパラメータを、フィードバックモード１におけるパラメータとは別に設定する。これに
より、フィードバックモード１においてフィードバックされるコンテンツは、拡張フィー
ドバックモードにおいても同じ周期あるいはオフセット値でフィードバックすることがで
きる。また、ＰＩ２の周期をＲＩと同じにすることで、異なるコンテンツの報告の衝突を
低減することができる。
【００９８】
図２９は、本実施形態に係るフィードバックモードの一例を示している。図２９に示し
たフィードバックモード２Ｇは拡張フィードバックモードである。このフィードバックモ
ード２Ｇでは、周期的にＲＩ、ＰＩ１、ＰＩ２、Ｗ−ＣＱＩ、Ｓ−ＣＱＩの報告を行う。
より具体的には、数式（３）を満たすサブフレームにおいて、Ｗ−ＣＱＩとＰＩ２をフィ
ードバックし、数式（４）を満たすサブフレームにおいてＲＩをフィードバックし、数式
（２０）を満たすサブフレームにおいてＰＩ１をフィードバックする。
【００９９】
【数２０】
0005566367.tif 000021
【０１００】
図２９に示したフィードバックモード２Ｇでは、Ｗ−ＣＱＩおよびＰＩ２は、Ｈ・ＮＰ
サブフレームの周期で、基準となるサブフレームからＮＯＦＦＳＥＴ、ＣＱＩだけシフト
したサブフレームで報告される。また、ＲＩは、Ｗ−ＣＱＩの周期のＭＲＩ倍であるＮＰ
・ＭＲＩの周期で、基準となるサブフレームからＮＯＦＦＳＥＴ、ＣＱＩ＋ＮＯＦＦＳＥ
Ｔ、ＲＩだけシフトしたサブフレーム、すなわちＷ−ＣＱＩからさらにＮＯＦＦＳＥＴ、
ＲＩだけシフトしたサブフレームで報告される。さらに、ＰＩ１は、ＰＩと同じく、Ｗ−
ＣＱＩの周期のＭＲＩ倍であるＮＰ・ＭＲＩの周期で、基準となるサブフレームからＮＯ
ＦＦＳＥＴ、ＣＱＩ＋ＮＯＦＦＳＥＴ、ＲＩ＋ＮＯＦＦＳＥＴ、ＰＩだけシフトしたサブ
フレーム、すなわちＲＩからさらにＮＯＦＦＳＥＴ、ＰＩだけシフトしたサブフレームで
報告される。また、Ｈ＝Ｊ・Ｋ＋１であり、フィードバックモード２と同様に、フィード
バックモード２ＧにおいてもＪ個のＢＰにおけるＣＱＩ（Ｓ−ＣＱＩ）の報告をＫサイク
ル繰り返す。
【０１０１】
このように、後方互換フィードバックモードであるフィードバックモード２のＷ−ＰＭ
Ｉを報告するリソースを用いてＰＩ２を報告するとともに、ＰＩ１のオフセット値に係る
パラメータを、フィードバックモード２におけるパラメータとは別に設定する。これによ
り、フィードバックモード２においてフィードバックされるコンテンツは、拡張フィード
バックモードにおいても同じ周期あるいはオフセット値でフィードバックすることができ
る。また、ＰＩ１の周期をＲＩと同じにすることで、異なるコンテンツの報告の衝突を低
減することができる。
【０１０２】
図３０は、本実施形態に係るフィードバックモードの一例を示している。図３０に示し
たフィードバックモード２Ｈは拡張フィードバックモードである。このフィードバックモ
ード２Ｈでは、周期的にＲＩ、ＰＩ１、ＰＩ２、Ｗ−ＣＱＩ、Ｓ−ＣＱＩの報告を行う。
より具体的には、数式（３）を満たすサブフレームにおいて、Ｗ−ＣＱＩをフィードバッ
クし、数式（４）を満たすサブフレームにおいてＲＩとＰＩ１をフィードバックし、数式
（２０）を満たすサブフレームにおいてＰＩ２をフィードバックする。
【０１０３】
図３０に示したフィードバックモード２Ｈでは、Ｗ−ＣＱＩは、Ｈ・ＮＰサブフレーム
の周期で、基準となるサブフレームからＮＯＦＦＳＥＴ、ＣＱＩだけシフトしたサブフレ
ームで報告される。また、ＲＩおよびＰＩ２は、Ｗ−ＣＱＩの周期のＭＲＩ倍であるＮＰ
・ＭＲＩの周期で、基準となるサブフレームからＮＯＦＦＳＥＴ、ＣＱＩ＋ＮＯＦＦＳＥ
Ｔ、ＲＩだけシフトしたサブフレーム、すなわちＷ−ＣＱＩからさらにＮＯＦＦＳＥＴ、
ＲＩだけシフトしたサブフレームで報告される。さらに、ＰＩ２は、ＰＩと同じく、Ｗ−
ＣＱＩの周期のＭＲＩ倍であるＮＰ・ＭＲＩの周期で、基準となるサブフレームからＮＯ
ＦＦＳＥＴ、ＣＱＩ＋ＮＯＦＦＳＥＴ、ＲＩ＋ＮＯＦＦＳＥＴ、ＰＩだけシフトしたサブ
フレーム、すなわちＲＩからさらにＮＯＦＦＳＥＴ、ＰＩだけシフトしたサブフレームで
報告される。また、Ｈ＝Ｊ・Ｋ＋１であり、フィードバックモード２と同様に、フィード
バックモード２ＨにおいてもＪ個のＢＰにおけるＣＱＩ（Ｓ−ＣＱＩ）の報告をＫサイク
ル繰り返す。
【０１０４】
このように、後方互換フィードバックモードであるフィードバックモード２のＲＩを報
告するリソースを用いてＲＩとＰＩ１とを報告するとともに、ＰＩ２のオフセット値に係
るパラメータを、フィードバックモード２におけるパラメータとは別に設定する。これに
より、フィードバックモード２においてフィードバックされるコンテンツは、拡張フィー
ドバックモードにおいても同じ周期あるいはオフセット値でフィードバックすることがで
きる。また、ＰＩ２の周期をＲＩと同じにすることで、異なるコンテンツの報告の衝突を
低減することができる。
【０１０５】
図３１は、本実施形態に係るフィードバックモードの一例を示している。図３１に示し
たフィードバックモード１Ｈは拡張フィードバックモードである。このフィードバックモ
ード１Ｈでは、周期的にＲＩ、ＰＩ１、ＰＩ２、Ｗ−ＣＱＩの報告を行う。より具体的に
は、数式（１）を満たすサブフレームにおいて、Ｗ−ＣＱＩとＰＩ２をフィードバックし
、数式（２）を満たすサブフレームにおいてＲＩをフィードバックし、数式（２１）を満
たすサブフレームにおいてＰＩ１をフィードバックする。
【０１０６】
【数２１】
0005566367.tif 000022
【０１０７】
図３１に示したフィードバックモード１Ｈでは、Ｗ−ＣＱＩおよびＰＩ２は、ＮＰサブ
フレームの周期で、基準となるサブフレームからＮＯＦＦＳＥＴ、ＣＱＩだけシフトした
サブフレームで報告される。また、ＲＩは、Ｗ−ＣＱＩの周期のＭＲＩ倍であるＮＰ・Ｍ
ＲＩの周期で、基準となるサブフレームからＮＯＦＦＳＥＴ、ＣＱＩ＋ＮＯＦＦＳＥＴ、
ＲＩだけシフトしたサブフレーム、すなわちＷ−ＣＱＩからさらにＮＯＦＦＳＥＴ、ＲＩ
だけシフトしたサブフレームで報告される。さらに、ＰＩ１は、Ｗ−ＣＱＩと同じ周期で
あるＮＰの周期で、基準となるサブフレームからＮＯＦＦＳＥＴ、ＣＱＩ＋ＮＯＦＦＳＥ
Ｔ、ＰＩだけシフトしたサブフレーム、すなわちＷ−ＣＱＩからさらにＮＯＦＦＳＥＴ、
ＰＩだけシフトしたサブフレームで報告される。
【０１０８】
このように、後方互換フィードバックモードであるフィードバックモード１のＷ−ＰＭ
Ｉを報告するリソースを用いてＰＩ２を報告するとともに、ＰＩ１のオフセット値に係る
パラメータを、フィードバックモード１におけるパラメータとは別に設定する。これによ
り、フィードバックモード１においてフィードバックされるコンテンツは、拡張フィード
バックモードにおいても同じ周期あるいはオフセット値でフィードバックすることができ
る。また、ＰＩ１の周期をＷ−ＣＱＩと同じにすることで、異なるコンテンツの報告の衝
突を低減することができる。
【０１０９】
図３２は、本実施形態に係るフィードバックモードの一例を示している。図３２に示し
たフィードバックモード１Ｉは拡張フィードバックモードである。このフィードバックモ
ード１Ｉでは、周期的にＲＩ、ＰＩ１、ＰＩ２、Ｗ−ＣＱＩの報告を行う。より具体的に
は、数式（１）を満たすサブフレームにおいて、Ｗ−ＣＱＩをフィードバックし、数式（
２）を満たすサブフレームにおいてＲＩとＰＩ１をフィードバックし、数式（２１）を満
たすサブフレームにおいてＰＩ２をフィードバックする。
【０１１０】
図３２に示したフィードバックモード１Ｉでは、Ｗ−ＣＱＩおよびＰＩ２は、ＮＰサブ
フレームの周期で、基準となるサブフレームからＮＯＦＦＳＥＴ、ＣＱＩだけシフトした
サブフレームで報告される。また、ＲＩおよびＰＩ１は、Ｗ−ＣＱＩの周期のＭＲＩ倍で
あるＮＰ・ＭＲＩの周期で、基準となるサブフレームからＮＯＦＦＳＥＴ、ＣＱＩ＋ＮＯ
ＦＦＳＥＴ、ＲＩだけシフトしたサブフレーム、すなわちＷ−ＣＱＩからさらにＮＯＦＦ
ＳＥＴ、ＲＩだけシフトしたサブフレームで報告される。さらに、ＰＩ２は、Ｗ−ＣＱＩ
と同じ周期であるＮＰの周期で、基準となるサブフレームからＮＯＦＦＳＥＴ、ＣＱＩ＋
ＮＯＦＦＳＥＴ、ＰＩだけシフトしたサブフレーム、すなわちＷ−ＣＱＩからさらにＮＯ
ＦＦＳＥＴ、ＰＩだけシフトしたサブフレームで報告される。
【０１１１】
このように、後方互換フィードバックモードであるフィードバックモード１のＲＩを報
告するリソースを用いてＲＩとＰＩ１とを報告するとともに、ＰＩ２のオフセット値に係
るパラメータを、フィードバックモード１におけるパラメータとは別に設定する。これに
より、フィードバックモード１においてフィードバックされるコンテンツは、拡張フィー
ドバックモードにおいても同じ周期あるいはオフセット値でフィードバックすることがで
きる。また、ＰＩ２の周期をＷ−ＣＱＩと同じにすることで、異なるコンテンツの報告の
衝突を低減することができる。
【０１１２】
図３３は、本実施形態に係るフィードバックモードの一例を示している。図３３に示し
たフィードバックモード２Ｉは拡張フィードバックモードである。このフィードバックモ
ード２Ｉでは、周期的にＲＩ、ＰＩ１、ＰＩ２、Ｗ−ＣＱＩ、Ｓ−ＣＱＩの報告を行う。
より具体的には、数式（３）を満たすサブフレームにおいて、Ｗ−ＣＱＩとＰＩ２をフィ
ードバックし、数式（４）を満たすサブフレームにおいてＲＩをフィードバックし、数式
（２２）を満たすサブフレームにおいてＰＩ１をフィードバックする。また、Ｈ＝Ｊ・Ｋ
＋１であり、フィードバックモード２と同様に、フィードバックモード２ＩにおいてもＪ
個のＢＰにおけるＣＱＩ（Ｓ−ＣＱＩ）の報告をＫサイクル繰り返す。
【０１１３】
【数２２】
0005566367.tif 000023
【０１１４】
図３３に示したフィードバックモード２Ｉでは、Ｗ−ＣＱＩおよびＰＩ２は、Ｈ・ＮＰ
サブフレームの周期で、基準となるサブフレームからＮＯＦＦＳＥＴ、ＣＱＩだけシフト
したサブフレームで報告される。また、ＲＩは、Ｗ−ＣＱＩの周期のＭＲＩ倍であるＨ・
ＮＰ・ＭＲＩの周期で、基準となるサブフレームからＮＯＦＦＳＥＴ、ＣＱＩ＋ＮＯＦＦ
ＳＥＴ、ＲＩだけシフトしたサブフレーム、すなわちＷ−ＣＱＩからさらにＮＯＦＦＳＥ
Ｔ、ＲＩだけシフトしたサブフレームで報告される。さらに、ＰＩ１は、Ｗ−ＣＱＩと同
じ周期であるＨ・ＮＰの周期で、基準となるサブフレームからＮＯＦＦＳＥＴ、ＣＱＩ＋
ＮＯＦＦＳＥＴ、ＰＩだけシフトしたサブフレーム、すなわちＷ−ＣＱＩからさらにＮＯ
ＦＦＳＥＴ、ＰＩだけシフトしたサブフレームで報告される。
【０１１５】
このように、後方互換フィードバックモードであるフィードバックモード２のＷ−ＰＭ
Ｉを報告するリソースを用いてＰＩ２を報告するとともに、ＰＩ１のオフセット値に係る
パラメータを、フィードバックモード２におけるパラメータとは別に設定する。これによ
り、フィードバックモード２においてフィードバックされるコンテンツは、拡張フィード
バックモードにおいても同じ周期あるいはオフセット値でフィードバックすることができ
る。また、ＰＩ１の周期をＷ−ＣＱＩと同じにすることで、異なるコンテンツの報告の衝
突を低減することができる。
【０１１６】
図３４は、本実施形態に係るフィードバックモードの一例を示している。図３４に示し
たフィードバックモード２Ｊは拡張フィードバックモードである。このフィードバックモ
ード２Ｊでは、周期的にＲＩ、ＰＩ１、ＰＩ２、Ｗ−ＣＱＩ、Ｓ−ＣＱＩの報告を行う。
より具体的には、数式（３）を満たすサブフレームにおいて、Ｗ−ＣＱＩをフィードバッ
クし、数式（４）を満たすサブフレームにおいてＲＩとＰＩ１をフィードバックし、数式
（２２）を満たすサブフレームにおいてＰＩ２をフィードバックする。また、Ｈ＝Ｊ・Ｋ
＋１であり、フィードバックモード２と同様に、フィードバックモード２ＪにおいてもＪ
個のＢＰにおけるＣＱＩ（Ｓ−ＣＱＩ）の報告をＫサイクル繰り返す。
【０１１７】
図３４に示したフィードバックモード２Ｊでは、Ｗ−ＣＱＩは、Ｈ・ＮＰサブフレーム
の周期で、基準となるサブフレームからＮＯＦＦＳＥＴ、ＣＱＩだけシフトしたサブフレ
ームで報告される。また、ＲＩおよびＰＩ１は、Ｗ−ＣＱＩの周期のＭＲＩ倍であるＨ・
ＮＰ・ＭＲＩの周期で、基準となるサブフレームからＮＯＦＦＳＥＴ、ＣＱＩ＋ＮＯＦＦ
ＳＥＴ、ＲＩだけシフトしたサブフレーム、すなわちＷ−ＣＱＩからさらにＮＯＦＦＳＥ
Ｔ、ＲＩだけシフトしたサブフレームで報告される。さらに、ＰＩ２は、Ｗ−ＣＱＩと同
じ周期であるＨ・ＮＰの周期で、基準となるサブフレームからＮＯＦＦＳＥＴ、ＣＱＩ＋
ＮＯＦＦＳＥＴ、ＰＩだけシフトしたサブフレーム、すなわちＷ−ＣＱＩからさらにＮＯ
ＦＦＳＥＴ、ＰＩだけシフトしたサブフレームで報告される。
【０１１８】
このように、後方互換フィードバックモードであるフィードバックモード２のＲＩを報
告するリソースを用いてＲＩとＰＩ１とを報告するとともに、ＰＩ２のオフセット値に係
るパラメータを、フィードバックモード２におけるパラメータとは別に設定する。これに
より、フィードバックモード２においてフィードバックされるコンテンツは、拡張フィー
ドバックモードにおいても同じ周期あるいはオフセット値でフィードバックすることがで
きる。また、ＰＩ２の周期をＷ−ＣＱＩと同じにすることで、異なるコンテンツの報告の
衝突を低減することができる。
【０１１９】
図３５は、本実施形態に係るフィードバックモードの一例を示している。図３５に示し
たフィードバックモード２Ｋは拡張フィードバックモードである。このフィードバックモ
ード２Ｋでは、周期的にＲＩ、ＰＩ１、ＰＩ２、Ｗ−ＣＱＩ、Ｓ−ＣＱＩの報告を行う。
より具体的には、数式（３）を満たすサブフレームにおいて、Ｗ−ＣＱＩをフィードバッ
クし、数式（４）を満たすサブフレームにおいてＲＩをフィードバックし、数式（２０）
を満たすサブフレームにおいてＰＩ１をフィードバックする。Ｓ−ＣＱＩおよびＰＩ２は
、それぞれＸ・ＮＰの周期でＪ・Ｋ回ずつ報告される。ここで、Ｈ＝Ｘ・Ｊ・Ｋ＋１であ
る。Ｊ・Ｋ回報告されるＳ−ＣＱＩあるいはＰＩ２のそれぞれは、ＢＰを代表するＣＱＩ
あるいはＰＩである。Ｊ個のＢＰにおけるＣＱＩあるいはＰＩを、周波数の低いＢＰにお
けるＣＱＩあるいはＰＩから交互に順次報告し、下りリンク帯域幅を網羅するようにそれ
ぞれＪ回の報告が行われる。さらに、Ｊ回の報告をＫサイクル繰り返すことにより、Ｈ・
ＮＰサブフレームの期間にＪ・Ｋ回ずつの報告が行われる。
【０１２０】
図３５に示したフィードバックモード２Ｋでは、Ｗ−ＣＱＩは、Ｈ・ＮＰサブフレーム
の周期で、基準となるサブフレームからＮＯＦＦＳＥＴ、ＣＱＩだけシフトしたサブフレ
ームで報告される。また、ＲＩは、Ｗ−ＣＱＩの周期のＭＲＩ倍であるＨ・ＮＰ・ＭＲＩ
の周期で、基準となるサブフレームからＮＯＦＦＳＥＴ、ＣＱＩ＋ＮＯＦＦＳＥＴ、ＲＩ
だけシフトしたサブフレーム、すなわちＷ−ＣＱＩからさらにＮＯＦＦＳＥＴ、ＲＩだけ
シフトしたサブフレームで報告される。さらに、ＰＩ１は、ＲＩと同じ周期であるＨ・Ｎ
Ｐ・ＭＲＩの周期で、基準となるサブフレームからＮＯＦＦＳＥＴ、ＣＱＩ＋ＮＯＦＦＳ
ＥＴ、ＲＩ＋ＮＯＦＦＳＥＴ、ＰＩだけシフトしたサブフレーム、すなわちＲＩからさら
にＮＯＦＦＳＥＴ、ＰＩだけシフトしたサブフレームで報告される。
【０１２１】
このように、後方互換フィードバックモードであるフィードバックモード２のＳ−ＣＱ
Ｉを報告するリソースを用いてＳ−ＣＱＩとＰＩ２とを報告するとともに、ＰＩ１のオフ
セット値に係るパラメータを、フィードバックモード２におけるパラメータとは別に設定
する。これにより、フィードバックモード２においてフィードバックされるコンテンツは
、拡張フィードバックモードにおいても同じ周期あるいはオフセット値でフィードバック
することができる。また、ＰＩ１の周期をＲＩと同じにすることで、異なるコンテンツの
報告の衝突を低減することができる。
【０１２２】
図３６は、本実施形態に係るフィードバックモードの一例を示している。図３６に示し
たフィードバックモード２Ｌは拡張フィードバックモードである。このフィードバックモ
ード２Ｌでは、周期的にＲＩ、ＰＩ１、ＰＩ２、Ｗ−ＣＱＩ、Ｓ−ＣＱＩの報告を行う。
より具体的には、数式（３）を満たすサブフレームにおいて、Ｗ−ＣＱＩおよびＰＩ１を
フィードバックし、数式（４）を満たすサブフレームにおいてＲＩをフィードバックする
。Ｓ−ＣＱＩおよびＰＩ２は、それぞれＮＰの周期でＪ・Ｋ回ずつ報告される。ここで、
Ｈ＝Ｊ・Ｋ＋１である。Ｊ・Ｋ回報告されるＳ−ＣＱＩあるいはＰＩ２のそれぞれは、Ｂ
Ｐを代表するＣＱＩあるいはＰＩである。Ｊ個のＢＰにおけるＣＱＩあるいはＰＩを、周
波数の低いＢＰにおけるＣＱＩあるいはＰＩから順次報告し、下りリンク帯域幅を網羅す
るようにそれぞれＪ回の報告が行われる。さらに、Ｊ回の報告をＫサイクル繰り返すこと
により、Ｈ・ＮＰサブフレームの期間にＪ・Ｋ回ずつの報告が行われる。
【０１２３】
図３６に示したフィードバックモード２Ｌでは、Ｗ−ＣＱＩおよびＰＩ１は、Ｈ・ＮＰ
サブフレームの周期で、基準となるサブフレームからＮＯＦＦＳＥＴ、ＣＱＩだけシフト
したサブフレームで報告される。また、ＲＩは、Ｗ−ＣＱＩの周期のＭＲＩ倍であるＨ・
ＮＰ・ＭＲＩの周期で、基準となるサブフレームからＮＯＦＦＳＥＴ、ＣＱＩ＋ＮＯＦＦ
ＳＥＴ、ＲＩだけシフトしたサブフレーム、すなわちＷ−ＣＱＩからさらにＮＯＦＦＳＥ
Ｔ、ＲＩだけシフトしたサブフレームで報告される。さらに、ＰＩ２は、Ｓ−ＣＱＩと同
じ周期であるＮＰの周期で、Ｓ−ＣＱＩを報告するサブフレームからＮＯＦＦＳＥＴ、Ｐ
Ｉだけシフトしたサブフレームで報告される。
【０１２４】
このように、後方互換フィードバックモードであるフィードバックモード２のＷ−ＰＭ
Ｉを報告するリソースを用いてＰＩ１を報告するとともに、ＰＩ２のオフセット値に係る
パラメータを、フィードバックモード２におけるパラメータとは別に設定する。これによ
り、フィードバックモード２においてフィードバックされるコンテンツは、拡張フィード
バックモードにおいても同じ周期あるいはオフセット値でフィードバックすることができ
る。また、ＰＩ２の周期をＳ−ＣＱＩと同じにすることで、異なるコンテンツの報告の衝
突を低減することができる。
【０１２５】
図３７は、本実施形態に係るフィードバックモードの一例を示している。図３７に示し
たフィードバックモード１Ｊは拡張フィードバックモードである。このフィードバックモ
ード１Ｊでは、周期的にＲＩ、ＰＩ１、ＰＩ２、Ｗ−ＣＱＩの報告を行う。より具体的に
は、数式（１）を満たすサブフレームにおいて、Ｗ−ＣＱＩをフィードバックし、数式（
２）を満たすサブフレームにおいてＲＩをフィードバックし、数式（２３）を満たすサブ
フレームにおいてＰＩ１をフィードバックし、数式（２４）を満たすサブフレームにおい
てＰＩ２をフィードバックする。
【０１２６】
【数２３】
0005566367.tif 000024
【数２４】
0005566367.tif 000025
ここで、ＮＯＦＦＳＥＴ、ＰＩ１およびＮＯＦＦＳＥＴ、ＰＩ２は所定の値である。
【０１２７】
図３７に示したフィードバックモード１Ｊでは、Ｗ−ＣＱＩは、ＮＰサブフレームの周
期で、基準となるサブフレームからＮＯＦＦＳＥＴ、ＣＱＩだけシフトしたサブフレーム
で報告される。また、ＲＩは、Ｗ−ＣＱＩの周期のＭＲＩ倍であるＮＰ・ＭＲＩの周期で
、基準となるサブフレームからＮＯＦＦＳＥＴ、ＣＱＩ＋ＮＯＦＦＳＥＴ、ＲＩだけシフ
トしたサブフレーム、すなわちＷ−ＣＱＩからさらにＮＯＦＦＳＥＴ、ＲＩだけシフトし
たサブフレームで報告される。また、ＰＩ１は、ＲＩと同じ周期であるＮＰ・ＭＲＩの周
期で、基準となるサブフレームからＮＯＦＦＳＥＴ、ＣＱＩ＋ＮＯＦＦＳＥＴ、ＲＩだけ
シフトしたサブフレーム、すなわちＲＩからさらにＮＯＦＦＳＥＴ、ＰＩ１だけシフトし
たサブフレームで報告される。さらに、ＰＩ２は、Ｗ−ＣＱＩと同じ周期であるＮＰの周
期で、基準となるサブフレームからＮＯＦＦＳＥＴ、ＣＱＩ＋ＮＯＦＦＳＥＴ、ＰＩ２だ
けシフトしたサブフレーム、すなわちＷ−ＣＱＩからさらにＮＯＦＦＳＥＴ、ＰＩ２だけ
シフトしたサブフレームで報告される。
【０１２８】
なお、ＮＯＦＦＳＥＴ、ＰＩ１およびＮＯＦＦＳＥＴ、ＰＩ２は図１４におけるステッ
プ１４０１において端末装置に設定することができる。あるいは、送信モードなど、他の
パラメータに関連付けて設定するようにしたり、固定にしたりすることもできる。
【０１２９】
このように、後方互換フィードバックモードであるフィードバックモード１におけるパ
ラメータとは別に、ＰＩ１あるいはＰＩ２のオフセット値に係るパラメータを設定する。
これにより、フィードバックモード１においてフィードバックされるコンテンツは、拡張
フィードバックモードにおいても同じ周期あるいはオフセット値でフィードバックするこ
とができる。また、ＰＩ１とＰＩ２の周期をＲＩとＷ−ＣＱＩと同じにすることで、異な
るコンテンツの報告の衝突を低減することができる。
【０１３０】
また、ＩＰＩが設定されているか否かで、拡張フィードバックモードか後方互換フィー
ドバックモードかを切り替えるようにしてもよい。例えば、図１４におけるＲＲＣシグナ
リング１４０１において、ＩＰＩが設定された場合は、端末装置は拡張フィードバックモ
ードを用いてフィードバックし、ＩＰＩが設定されなかった場合は、端末装置は後方互換
フィードバックモードを用いてフィードバックすることができる。
【０１３１】
このように、基地局装置は端末装置に対して、プレコーディング行列をフィードバック
する後方互換フィードバックモードまたは複数の部分プレコーダ情報をフィードバックす
る拡張フィードバックモードを設定する。このとき、拡張フィードバックモードにおける
周期に係るパラメータを後方互換フィードバックモードと同じにし、部分プレコーダ情報
におけるオフセット値を後方互換フィードバックモードにおけるオフセット値とは別に設
定する。これにより、拡張フィードバックモードと後方互換フィードバックモードを容易
に切り替えることができる。また、異なるコンテンツの報告の衝突を低減することができ
る。
【０１３２】
（第３の実施形態）
上記第１の実施形態および上記第２の実施形態では、１つの下りリンクコンポーネント
キャリアにおける受信品質情報を報告する場合について説明した。本発明の第３の実施形
態では、複数の下りリンクコンポーネントキャリアにおける受信品質情報を報告する場合
について説明する。以下、図面を参照して、本発明の第３の実施形態について説明する。
【０１３３】
図３８は、本実施形態に係るコンポーネントキャリア構成の一例を示している。ここで
は、端末装置は、それぞれ異なる３つの下りリンクコンポーネントキャリアにおいてカバ
ーされているセル（Ｃｅｌｌ＃０、Ｃｅｌｌ＃１、Ｃｅｌｌ＃２）に接続しており、３つ
の下りリンク（Ｃｅｌｌ＃０−ＤＬ、Ｃｅｌｌ＃１−ＤＬ、Ｃｅｌｌ＃２−ＤＬ）におけ
る受信品質情報を１つの上りリンク（Ｃｅｌｌ＃１−ＵＬ）で報告する場合について説明
する。
【０１３４】
図３９は、本実施形態に係るプロシージャの一例を示している。図３９に示したプロシ
ージャは、拡張フィードバックモードにおけるプロシージャの一例である。まず、基地局
はＲＲＣシグナリングを介して、それぞれのセルにおける端末装置におけるフィードバッ
クのパラメータを設定し、それぞれのセルにおける周期的なフィードバックを指示する（
ステップＳ３９０１）。ここでは、Ｃｅｌｌ＃０−ＤＬ、Ｃｅｌｌ＃１−ＤＬ、Ｃｅｌｌ
＃２−ＤＬの３つの下りリンクにおいて周期的なフィードバックが指示された場合につい
て説明する。それぞれのセルにおける端末装置におけるフィードバックのパラメータは、
図８、図９あるいは図２７に示したパラメータを用いることができる。Ｃｅｌｌ＃１−Ｄ
Ｌにおける周期的なフィードバックを指示された端末装置は、設定されたパラメータ（Ｃ
ｅｌｌ＃１−ＤＬにおけるＩＣＱＩ、ＩＲＩ、ＩＰＩ）に従いＣｅｌｌ＃１−ＤＬにおけ
るＲＩ（ステップＳ３９０２）、Ｃｅｌｌ＃１−ＤＬにおけるＰＩ１（ステップＳ３９０
３）、Ｃｅｌｌ＃１−ＤＬにおけるＰＩ２（ステップＳ３９０４）、Ｃｅｌｌ＃１−ＤＬ
におけるＷ−ＣＱＩ（ステップＳ３９０５）をそれぞれ周期的に基地局装置に報告する。
Ｓ−ＣＱＩをフィードバックする拡張フィードバックモードの場合は、さらにＣｅｌｌ＃
１−ＤＬにおけるＳ−ＣＱＩを周期的に報告する（ステップＳ３９０６）。同様にして、
Ｃｅｌｌ＃０−ＤＬにおける周期的なフィードバックを指示された端末装置は、設定され
たパラメータ（Ｃｅｌｌ＃０−ＤＬにおけるＩＣＱＩ、ＩＲＩ、ＩＰＩ）に従いＣｅｌｌ
＃０−ＤＬにおけるＲＩ（ステップＳ３９０７）、Ｃｅｌｌ＃０−ＤＬにおけるＰＩ１（
ステップＳ３９０８）、Ｃｅｌｌ＃０−ＤＬにおけるＰＩ２（ステップＳ３９０９）、Ｃ
ｅｌｌ＃０−ＤＬにおけるＷ−ＣＱＩ（ステップＳ３９１０）をそれぞれ周期的に基地局
装置に報告する。Ｓ−ＣＱＩをフィードバックする拡張フィードバックモードの場合は、
さらにＣｅｌｌ＃０−ＤＬにおけるＳ−ＣＱＩを周期的に報告する（ステップＳ３９１１
）。さらに、Ｃｅｌｌ＃２−ＤＬにおける周期的なフィードバックを指示された端末装置
は、設定されたパラメータ（Ｃｅｌｌ＃２−ＤＬにおけるＩＣＱＩ、ＩＲＩ、ＩＰＩ）に
従いＣｅｌｌ＃２−ＤＬにおけるＲＩ（ステップＳ３９１２）、Ｃｅｌｌ＃２−ＤＬにお
けるＰＩ１（ステップＳ３９１３）、Ｃｅｌｌ＃２−ＤＬにおけるＰＩ２（ステップＳ３
９１４）、Ｃｅｌｌ＃２−ＤＬにおけるＷ−ＣＱＩ（ステップＳ３９１５）をそれぞれ周
期的に基地局装置に報告する。Ｓ−ＣＱＩをフィードバックする拡張フィードバックモー
ドの場合は、さらにＣｅｌｌ＃２−ＤＬにおけるＳ−ＣＱＩを周期的に報告する（ステッ
プＳ３９１６）。
【０１３５】
ここで、Ｃｅｌｌ＃０−ＤＬにおけるＩＣＱＩ、ＩＲＩ、ＩＰＩと、Ｃｅｌｌ＃１−Ｄ
ＬにおけるＩＣＱＩ、ＩＲＩ、ＩＰＩと、Ｃｅｌｌ＃２−ＤＬにおけるＩＣＱＩ、ＩＲＩ
、ＩＰＩは、それぞれ別々の値を取るように設定することができる。または、いずれかの
パラメータは複数のセルで共通するように取り決めておき、セル共通のパラメータを設定
するようにしてもよい。
【０１３６】
また、複数のセルにおけるＷ−ＣＱＩあるいはＳ−ＣＱＩを報告するサブフレームとＰ
Ｉ１やＰＩ２を報告するサブフレーム、あるいはＲＩを報告するサブフレームとが同じサ
ブフレームになる場合が生じる。この場合、ＲＩ＞ＰＩ１＞ＰＩ２＞Ｗ−ＣＱＩ＞Ｓ−Ｃ
ＱＩの順、ＲＩ＞Ｗ−ＣＱＩ＞ＰＩ１＞ＰＩ２＞Ｓ−ＣＱＩ、あるいはＲＩ＞ＰＩ１＞Ｗ
−ＣＱＩ＞ＰＩ２＞Ｓ−ＣＱＩの順など、フィードバックするコンテンツに対して優先度
をつけておき、優先度の高いコンテンツを報告する。これにより、複数のセルを跨いで、
報告するサブフレームが重なった場合でも、いずれのコンテンツを報告するかを一意に決
めることができる。また、複数のセルを跨いで、コンテンツの重要度に応じて優先度をつ
けることができるため、重要度の高いコンテンツを優先して報告することができる。ある
いは、Ｃｅｌｌ＃１＞Ｃｅｌｌ＃０＞Ｃｅｌｌ＃２の順など、フィードバックするセルに
対して優先度をつけておき、優先度の高いセルのコンテンツを報告する。これにより、複
数のセルを跨いで、報告するサブフレームが重なった場合でも、いずれのコンテンツを報
告するかを一意に決めることができる。あるいは、セルとコンテンツとの両方を考慮して
優先度をつけることもできる。
【０１３７】
あるいは、基地局装置は端末装置に対してＩＣＱＩ、ＩＲＩ、ＩＰＩなどのパラメータ
を設定する際に、コンポーネントキャリア間での報告の衝突を軽減するようなパラメータ
のセットを設定するようにしてもよい。例えば、一つのコンポーネントキャリアにおける
ＩＣＱＩとして図８に示すテーブルで７から３１６の値を設定した場合には、他のコンポ
ーネントキャリアにおけるＩＣＱＩとして０から３１６の値を設定し，３１８から５４１
までの値を設定しないようにすればよい。逆に、一つのコンポーネントキャリアにおける
ＩＣＱＩとして３１８から５４１の値を設定した場合には、他のコンポーネントキャリア
におけるＩＣＱＩとして０から1または３１８から５４１の値を設定し、２から６までの
値を設定しないようにすればよい。より好ましくは、２から３１６までの値を設定しない
ようにする。このように、複数のコンポーネントキャリアにおける周期の素因数が共通す
るように設定することにより、コンポーネントキャリア間での報告の衝突を軽減すること
ができる。また、この制限を利用して、複数のコンポーネントキャリアにおけるパラメー
タのセットに要する情報量を削減するようにしてもよい。
【０１３８】
また、ステップ３９０１におけるＲＲＣシグナリングで、それぞれのセルにおいてＲＩ
、ＰＩ１あるいはＰＩ２をフィードバックしないように設定することも可能である。これ
らの設定は、ＲＩとＰＩ１とＰＩ２とで個別に設定されてもよいし、一つの指標でまとめ
て設定されても良い。また、セル個別に設定しても良いし、セル共通に設定してもよい。
【０１３９】
さらに、ステップ３９０１におけるＲＲＣシグナリングで、拡張フィードバックモード
か後方互換フィードバックモードかをセル個別に設定してもよい。例えば、第１の実施形
態で説明したＸ（あるいはＸ１、Ｘ２）あるいは第２の実施形態で説明したＩＰＩなどを
セル個別で設定することにより、拡張フィードバックモードか後方互換フィードバックモ
ードかをセル個別に設定することができる。あるいは、拡張フィードバックモードか後方
互換フィードバックモードかをセル共通で設定しても良い。例えば、第１の実施形態で説
明したＸ（あるいはＸ１、Ｘ２）あるいは第２の実施形態で説明したＩＰＩなどをセル共
通で設定することにより、拡張フィードバックモードか後方互換フィードバックモードか
をセル共通に設定することができる。拡張フィードバックモードが設定されたセルは、Ｒ
Ｉ１およびＲＩ２に代えてＷ−ＰＭＩを報告するようにしてもよい。
【０１４０】
なお、ここでは３つの下りリンク（Ｃｅｌｌ＃０−ＤＬ、Ｃｅｌｌ＃２−ＤＬ、Ｃｅｌ
ｌ＃３−ＤＬ）における受信品質情報を１つの上りリンク（Ｃｅｌｌ＃１−ＵＬ）で報告
する場合について説明したがこれに限るものではない。例えば、４つの下りリンクにおけ
る受信品質情報を２つの上りリンクで報告する場合など、報告に用いる上りリンクコンポ
ーネントキャリア数によらず、任意の数の下りリンクコンポーネントキャリアにおける受
信品質情報を報告する場合に対して、本発明を同様に適用することができる。
【０１４１】
このように、基地局装置は端末装置に対して、複数の下りリンクコンポーネントキャリ
アにおいて、プレコーディング行列をフィードバックする後方互換フィードバックモード
または複数の部分プレコーダ情報をフィードバックする拡張フィードバックモードを設定
する。このとき、それぞれの下りリンクコンポーネントキャリアにおける拡張フィードバ
ックモードにおける周期に係るパラメータ、あるいは部分プレコーダ情報におけるオフセ
ット値を後方互換フィードバックモードにおけるオフセット値を設定する。これにより、
複数の下りリンクコンポーネントキャリアにおいて、拡張フィードバックモードと後方互
換フィードバックモードを容易に切り替えることができる。また、異なるコンポーネント
キャリアに関する報告の衝突を低減することができる。
【０１４２】
（第４の実施形態）
上記第３の実施形態では、複数の下りリンクコンポーネントキャリアにおける受信品質
情報を報告する場合について説明した。本発明の第４の実施形態では、複数の下りリンク
送信点（例えば、基地局装置、遠隔無線送信装置、リレー装置、小型基地局装置など）に
関する受信品質情報を報告する場合について説明する。以下、図面を参照して、本発明の
第４の実施形態について説明する。
【０１４３】
図４０は、本実施形態に係る送信点構成の一例を示している。ここでは、端末装置は、
それぞれ異なる３つの送信点（送信点０、送信点１、送信点２）においてカバーされてい
るセル（Ｃｅｌｌ＃０、Ｃｅｌｌ＃１、Ｃｅｌｌ＃２）における受信品質を測定しており
、３つの下りリンク（Ｃｅｌｌ＃０−ＤＬ、Ｃｅｌｌ＃１−ＤＬ、Ｃｅｌｌ＃２−ＤＬ）
における受信品質情報を１つの上りリンク（Ｃｅｌｌ＃１−ＵＬ）で報告する場合につい
て説明する。
【０１４４】
本実施形態に係るプロシージャは、図３９に示したプロシージャと同様のプロシージャ
を用いることができる。第３の実施形態での複数のコンポーネントキャリアにおけるセル
を、本実施形態の複数の送信点におけるセルに置き換えることにより、上記第３の実施形
態で説明した効果と同様の効果を得ることができる。また、複数のコンポーネントキャリ
アにおけるパラメータ設定方法を、複数の送信点におけるパラメータ設定に適用すること
ができるため、複数の送信点をサポートするシステムへのフィードバックモードの拡張が
容易になる。
【０１４５】
このように、基地局装置は端末装置に対して、複数の送信点において、プレコーディン
グ行列をフィードバックする後方互換フィードバックモードまたは複数の部分プレコーダ
情報をフィードバックする拡張フィードバックモードを設定する。このとき、それぞれの
下りリンクコンポーネントキャリアにおける拡張フィードバックモードにおける周期に係
るパラメータ、あるいは部分プレコーダ情報におけるオフセット値を後方互換フィードバ
ックモードにおけるオフセット値を設定する。これにより、複数の送信点において、拡張
フィードバックモードと後方互換フィードバックモードを容易に切り替えることができる
。また、異なる送信点に関する報告の衝突を低減することができる。
（第５の実施形態）
本発明の第５の実施形態では、本発明に係る基地局装置および端末装置が有する機能ブ
ロックについて説明する。以下、図面を参照して、本発明の第５の実施形態について説明
する。
【０１４６】
図４１は、本実施形態に係る基地局装置の構成の一例を示す概略図である。基地局装置
は、符号部４１０１、スクランブル部４１０２、変調部４１０３、レイヤーマッピング部
４１０４、プレコーディング部４１０５、参照信号生成部４１０６、リソースエレメント
マッピング部４１０７、ＯＦＤＭ信号生成部４１０８、送信アンテナ（基地局側送信アン
テナ）４１０９、受信アンテナ（基地局側受信アンテナ）４１１０、受信信号処理部４１
１１、フィードバック情報処理部４１１２、上位層４１１３を有する。
【０１４７】
上位層４１１３から送られてくるコードワード（送信データ系列）毎の送信データ（ビ
ット系列）のそれぞれは、符号部４１０１で誤り訂正符号化およびレートマッピング処理
され、スクランブル部４１０２においてスクランブリング符号が乗算され、変調部４１０
３でＰＳＫ（Ｐｈａｓｅ  Ｓｈｉｆｔ  Ｋｅｙｉｎｇ）変調やＱＡＭ（Ｑｕａｄｒａｔｕ
ｒｅ  Ａｍｐｌｉｔｕｄｅ  Ｍｏｄｕｌａｔｉｏｎ）変調などの変調処理が施される。こ
のとき、上位層４１１３から送られてくる送信データ系列は、ＲＲＣシグナリング用の制
御データを含む。レイヤーマッピング部４１０４では、変調部４１０３から出力された変
調シンボル系列をレイヤ毎に分配する。プレコーディング部４１０５は、レイヤ毎の変調
シンボル系列に対してプレコーディング処理を行う。より具体的には、プレコーディング
行列を乗算する。
【０１４８】
参照信号生成部４１０６は、下りリンクＲＳを生成する。リソースエレメントマッピン
グ部４１０７は、プレコーディング部４１０５においてプレコーディングされた変調シン
ボル系列と、参照信号生成部４１０６で生成されたＲＳとを、所定のリソースエレメント
にマッピングする。
【０１４９】
リソースエレメントマッピング部４１０７から出力されたリソースブロック群は、ＯＦ
ＤＭ信号生成部４１０８においてＯＦＤＭ信号に変換し、下りリンク送信信号として送信
アンテナ４１０９から送信する。
【０１５０】
一方、受信アンテナ４１１０において受信した上りリンク受信信号は、受信信号処理部
４１１１において所定の信号処理が施された後、フィードバック情報がフィードバック情
報処理部４１１２に送られる。フィードバック情報処理部４１１２は、端末装置から報告
された部分プレコーダ情報を用いて、プレコーディング部４１０５において用いるプレコ
ーディング行列を決定する。ここで、上記各実施形態で説明したように、端末装置毎に各
コンテンツを報告するタイミングを異なって設定することができる。そのため、上位層４
１１３によりフィードバック情報処理部４１１２におけるＲＩ・ＣＱＩ・ＰＩの周期およ
びオフセットが設定され、フィードバック情報処理部４１１２は、いずれのタイミングで
受信信号処理部４１１１から送られた信号がいずれの端末装置におけるいずれのコンテン
ツを含むかを識別し、各端末装置における好適なプリコーダを再現することができる。
【０１５１】
図４２は、本実施形態に係る端末装置（受信装置）の構成の一例を示す概略図である。
端末装置は、受信アンテナ（端末側受信アンテナ）４２０１、ＯＦＤＭ信号復調部４２０
２、リソースエレメントデマッピング部４２０３、フィルタ部４２０４、レイヤーデマッ
ピング部４２０５、復調部４２０６、デスクランブル部４２０７、復号部４２０８、上位
層４２０９、参照信号測定部４２１０、フィードバック情報生成部４２１１、送信信号生
成部４２１２、送信アンテナ（端末側送信アンテナ）４２１３を有する。
【０１５２】
受信アンテナ４２０１において受信した下りリンク受信信号は、ＯＦＤＭ信号復調部４
２０２においてＯＦＤＭ復調処理が施され、リソースブロック群が出力される。リソース
エレメントデマッピング部４２０３では、ＲＳを参照信号測定部４２１０に出力するとと
もに、ＲＳがマッピングされていたリソースエレメント以外のリソースエレメントにおけ
る受信信号をフィルタ部４２０４に出力する。フィルタ部４２０４は、リソースエレメン
トデマッピング部４２０３から出力された受信信号に対してフィルタリング処理を行う。
フィルタリングされた信号は、プレコーディング部４１０５におけるプレコーディングに
対応するデプレコーディング処理がすでに施された状態であり、フィルタ部４２０４から
レイヤ毎の信号が出力される。レイヤーデマッピング部４２０５では、レイヤーマッピン
グ部４１０４に対応する結合処理が施され、レイヤ毎の信号をコードワード毎の信号に変
換する。変換されたコードワード毎の信号は、復調部４２０６において、変調部４１０３
における変調処理に対応した復調処理が施され、デスクランブリング部４２０７において
、スクランブル部４１０２で用いたスクランブリング符号の共役符号が乗算（スクランブ
リング符号で除算）した後、復号部４２０８でレートデマッピング処理および誤り訂正復
号処理が施されて、コードワード毎の受信データを取得され、上位層４２０９に送られる
。ここで、上位層４２０９に送られる受信データは、ＲＲＣシグナリングのための制御デ
ータを含んでおり、上位層４２０９はＲＲＣシグナリングによる基地局装置からの指令を
取得する。
【０１５３】
ここで、フィルタ部４２０４が行うフィルタリング処理では、受信アンテナ４２０１毎
の受信信号に対して、ＺＦ（Ｚｅｒｏ  Ｆｏｒｃｉｎｇ）やＭＭＳＥ（Ｍｉｎｉｍｕｍ  
Ｍｅａｎ  Ｓｑｕａｒｅ  Ｅｒｒｏｒ）やＭＬＤ（Ｍａｘｉｍｕｍ  Ｌｉｋｅｌｉｈｏｏ
ｄ  Ｄｅｔｅｃｔｉｏｎ）などの方法を用いて、図４１におけるレイヤ毎の信号を検出す
る。
【０１５４】
一方、参照信号測定部４２１０では、リソースエレメントデマッピング部４２０３にお
いて取得したＲＳが測定され、測定結果はフィードバック情報生成部４２１１に出力され
る。フィードバック情報生成部４２１１では、フィードバックモードに基づき、参照信号
測定部４２１０から出力されたＲＳの測定結果を用いて、部分プレコーダ情報やＲＩ、Ｃ
ＱＩなどのフィードバック情報を生成する。
【０１５５】
フィードバック情報生成部４２１１において生成されたフィードバック情報は送信信号
生成部４２１２において、送信信号に変換され、上りリンク送信信号として送信アンテナ
４２１３を介して送信される。
【０１５６】
ここで、上記各実施形態で説明したように、端末装置毎に各コンテンツを報告するタイ
ミングを異なって設定することができる。そのため、上位層４２０９によりフィードバッ
ク情報生成部４２１１および送信信号生成部４２１２におけるＲＩ・ＣＱＩ・ＰＩの周期
およびオフセットが設定され、フィードバック情報処理部４１１２は、いずれのタイミン
グでいずれのコンテンツを含む信号を生成するかを識別する。また、送信信号生成部４２
１２は、いずれのタイミングでいずれのコンテンツを含む信号を送信するかを識別する。
【０１５７】
なお、上記各実施形態では、好適なプレコーダを基地局に報告する場合について説明し
たが、不適なプレコーダを報告する場合に関しても、同様の処理を用いることにより、基
地局でのプレコーディング処理を効率的に行うことができる。この場合、例えば、伝搬路
を考慮した上で、受信信号電力が小さくなるようなプレコーダをコードブックから選択す
るという方法などを用いることができる。
【０１５８】
なお、図４１における基地局装置の全部または一部、あるいは図４２における端末装置
の全部または一部との機能を実現するためのプログラムをコンピュータ読み取り可能な記
録媒体に記録して、この記録媒体に記録されたプログラムをコンピュータシステムに読み
込ませ、実行することにより各部の処理を行ってもよい。なお、ここでいう「コンピュー
タシステム」とは、ＯＳや周辺機器等のハードウェアを含むものとする。
【０１５９】
また、「コンピュータシステム」は、ＷＷＷシステムを利用している場合であれば、ホ
ームページ提供環境（あるいは表示環境）も含むものとする。
【０１６０】
また、「コンピュータ読み取り可能な記録媒体」とは、フレキシブルディスク、光磁気
ディスク、ＲＯＭ、ＣＤ−ＲＯＭ等の可搬媒体、コンピュータシステムに内蔵されるハー
ドディスク等の記憶装置のことをいう。さらに「コンピュータ読み取り可能な記録媒体」
とは、インターネット等のネットワークや電話回線等の通信回線を介してプログラムを送
信する場合の通信線のように、短時間の間、動的にプログラムを保持するもの、その場合
のサーバやクライアントとなるコンピュータシステム内部の揮発性メモリのように、一定
時間プログラムを保持しているものも含むものとする。また上記プログラムは、前述した
機能の一部を実現するためのものであっても良く、さらに前述した機能をコンピュータシ
ステムにすでに記録されているプログラムとの組み合わせで実現できるものであっても良
い。
【０１６１】
また、図４１における基地局装置の全部または一部と、図４２における端末装置の全部
または一部との機能を集積回路に集約して実現してもよい。基地局装置、及び端末装置の
各機能ブロックは個別にチップ化してもよいし、一部、又は全部を集積してチップ化して
もよい。また、集積回路化の手法はＬＳＩに限らず専用回路、又は汎用プロセッサで実現
しても良い。また、半導体技術の進歩によりＬＳＩに代替する集積回路化の技術が出現し
た場合、当該技術による集積回路を用いることも可能である。
【０１６２】
以上、この発明の実施形態を図面を参照して詳述してきたが、具体的な構成はこの実施
形態に限られるものではなく、この発明の要旨を逸脱しない範囲の設計変更等も含まれる
。
【産業上の利用可能性】
【０１６３】
本発明は、無線基地局装置や無線端末装置や無線通信システムや無線通信方法に用いて
好適である。
【符号の説明】
【０１６４】
１０１…基地局装置
１０２…端末装置
１０３…下りリンク送信信号
１０４…フィードバック情報
４１０１…符号部
４１０２…スクランブル部
４１０３…変調部
４１０４…レイヤーマッピング部
４１０５…プレコーディング部
４１０６…参照信号生成部
４１０７…リソースエレメントマッピング部
４１０８…ＯＦＤＭ信号生成部
４１０９…送信アンテナ
４１１０…受信アンテナ
４１１１…受信信号処理部
４１１２…フィードバック情報処理部
４１１３…上位層
４２０１…受信アンテナ
４２０２…ＯＦＤＭ信号復調部
４２０３…リソースエレメントデマッピング部
４２０４…フィルタ部
４２０５…レイヤーデマッピング部
４２０６…復調部
４２０７…デスクランブル部
４２０８…復号部
４２０９…上位層
４２１０…参照信号測定部
４２１１…フィードバック情報生成部
４２１２…送信信号生成部
４２１３…送信アンテナ
４３０１…基地局装置
４３０２…端末装置
４３０３…下りリンク送信信号
４３０４…フィードバック情報
【図１】
0005566367.tif 000026
【図２】
0005566367.tif 000027
【図３】
0005566367.tif 000028
【図４】
0005566367.tif 000029
【図５】
0005566367.tif 000030
【図６】
0005566367.tif 000031
【図７】
0005566367.tif 000032
【図８】
0005566367.tif 000033
【図９】
0005566367.tif 000034
【図１０】
0005566367.tif 000035
【図１１】
0005566367.tif 000036
【図１２】
0005566367.tif 000037
【図１３】
0005566367.tif 000038
【図１４】
0005566367.tif 000039
【図１５】
0005566367.tif 000040
【図１６】
0005566367.tif 000041
【図１７】
0005566367.tif 000042
【図１８】
0005566367.tif 000043
【図１９】
0005566367.tif 000044
【図２０】
0005566367.tif 000045
【図２１】
0005566367.tif 000046
【図２２】
0005566367.tif 000047
【図２３】
0005566367.tif 000048
【図２４】
0005566367.tif 000049
【図２５】
0005566367.tif 000050
【図２６】
0005566367.tif 000051
【図２７】
0005566367.tif 000052
【図２８】
0005566367.tif 000053
【図２９】
0005566367.tif 000054
【図３０】
0005566367.tif 000055
【図３１】
0005566367.tif 000056
【図３２】
0005566367.tif 000057
【図３３】
0005566367.tif 000058
【図３４】
0005566367.tif 000059
【図３５】
0005566367.tif 000060
【図３６】
0005566367.tif 000061
【図３７】
0005566367.tif 000062
【図３８】
0005566367.tif 000063
【図３９】
0005566367.tif 000064
【図４０】
0005566367.tif 000065
【図４１】
0005566367.tif 000066
【図４２】
0005566367.tif 000067
【図４３】
0005566367.tif 000068